(57)【特許請求の範囲】
【請求項１】
エアインターフェース／アクセス技術のシステム選択のためにモバイル機器またはスマートカードをプロビジョニングする方法であって、
複数のマルチモードシステム選択方式からマルチモードシステム選択方式を選択することと、前記複数のマルチモードシステム選択方式のそれぞれは複数の無線アクセス技術から無線アクセス技術を選択するためのものであり、
前記複数の無線アクセス技術を使用するためのモバイルデバイスの機能制約を判定することと、
前記マルチモードシステム選択方式および前記機能制約に従って、選択された無線アクセス技術を使用して無線アクセスネットワークと通信することとを備える方法。
【請求項２】
前記マルチモードシステム選択方式を選択することは、３ＧＰＰマルチモードシステム選択方式と３ＧＰＰ２マルチモードシステム選択方式と汎用の好ましいローミングリストマルチモードシステム選択方式の間で選択することを備える、請求項１に記載の方法。
【請求項３】
前記機能制約を判定することは、モバイル事業者用の前記モバイルデバイスの加入者識別子のプロビジョニングを判定することをさらに備える、請求項１に記載の方法。
【請求項４】
前記加入者識別子のプロビジョニングを判定することは、取り外し可能なユーザ識別モジュール（Ｒ−ＵＩＭ）と、ＣＤＭＡ加入者識別モジュール（ＣＳＩＭ）を含む汎用ＩＣカード（ＵＩＣＣ）と、汎用加入者識別モジュール（ＵＳＩＭ）およびＣＳＩＭを含むＵＩＣＣと、加入者識別モジュール（ＳＩＭ）とから成るグループのうちの１つを検出することをさらに備える、請求項３に記載の方法。
【請求項５】
スマートカードの前記グループのうちの第２のスマートカードのプロビジョニングを判定することと、前記グループのうちの前記第２のスマートカードは、前記グループのうちの前記１つとは異なり、
前記グループのうちの前記１つおよび前記第２のスマートカードを選択的にアクティブ化することとを備える、請求項４に記載の方法。
【請求項６】
前記機能制約を判定することは、エアインターフェースに関連する前記モバイルデバイスのトランシーバ制限を判定することをさらに備える、請求項１に記載の方法。
【請求項７】
前記トランシーバ制限を判定することは、シングルモードまたはマルチモードを介して通信することをさらに備える、請求項６に記載の方法。
【請求項８】
前記トランシーバ制限および加入者の事業者から受信された構成情報を、前記モバイルデバイスに組み込まれたスマートカード上に記憶することをさらに備える、請求項６に記載の方法。
【請求項９】
前記機能制約を判定することは、ローミングしているかあるいはホームにある前記モバイルデバイスのトランシーバ制限を判定することをさらに備える、請求項６に記載の方法。
【請求項１０】
前記機能制約を判定することは、ＣＤＭＡ２０００エアインターフェースと３ＧＰＰエアインターフェースと３ＧＰＰ２エアインターフェースとＧＳＭエアインターフェースとＷｉＭＡＸエアインターフェースから成るグループのうちの少なくとも１つのエアインターフェース上で通信するための前記モバイルデバイスのトランシーバ制限を判定することをさらに備える、請求項１に記載の方法。
【請求項１１】
前記モバイルデバイスのコンピューティングプラットフォームと、モバイルネットワークへの加入者識別子を含む集積回路カードとのハンドシェークを実行し、前記機能制約を判定することをさらに備える、請求項１０に記載の方法。
【請求項１２】
前記コンピューティングプラットフォーム上に記憶されている第１のマルチモードシステム選択方式にアクセスすることと、前記集積回路カード上に記憶されている第２のマルチモードシステム選択方式にアクセスすることとをさらに備える、請求項１１に記載の方法。
【請求項１３】
前記マルチモードシステム選択方式および前記機能制約を満足する利用可能な複数の無線アクセス技術を判定することと、
優先順位設定に従って前記利用可能な複数の無線アクセス技術のうちの１つを選択することとをさらに備える、請求項１に記載の方法。
【請求項１４】
指定された無線アクセス技術を有効化または無効化するネットワークコマンドを受信することをさらに備える、請求項１に記載の方法。
【請求項１５】
前記モバイルデバイスに対してプロビジョニングされるスマートカード上のエレメンタリファイルにアクセスすることによって、前記マルチモードシステム選択方式にアクセスすることをさらに備える、請求項１に記載の方法。
【請求項１６】
無線サービスプロビジョニングによって前記マルチモードシステム選択方式用のローカルに記憶されたデータ構造を修正するコマンドを受信することをさらに備える、請求項１に記載の方法。
【請求項１７】
前記モバイルデバイスの地理的位置を判定することと、
前記選択された無線アクセス技術が前記地理的位置で利用可能であるかどうかを規定する前記機能制約にアクセスすることとをさらに備える、請求項１に記載の方法。
【請求項１８】
現在のカレンダー日付を判定することと、
前記選択された無線アクセス技術が前記現在のカレンダー日付で利用可能であるかどうかを規定する前記機能制約にアクセスすることとをさらに備える、請求項１に記載の方法。
【請求項１９】
スマートカードに含まれるジェネリックサービステーブル内の前記マルチモードシステム選択方式にアクセスすることをさらに備える、請求項１に記載の方法。
【請求項２０】
前記マルチモードシステム選択方式にアクセスし、１次選択として働くアンカーシステムを判定することをさらに備える、請求項１に記載の方法。
【請求項２１】
少なくとも２つのエアインターフェースをアソシエートするために前記マルチモードシステム選択方式にアクセスすることをさらに備える、請求項１に記載の方法。
【請求項２２】
前記モバイルデバイスの地理的位置を判定することと、
無線アクセス技術のマニュアル選択が前記地理的位置で利用可能であるかどうかを規定する前記機能制約にアクセスすることとをさらに備える、請求項１に記載の方法。
【請求項２３】
前記モバイルデバイスがアウトオブサービス領域にあると判定することと、
サービスのスキャン同士の時間間隔を広げることとをさらに備える、請求項１に記載の方法。
【請求項２４】
サービスのスキャン同士の前記時間間隔を広げることは、しきい値を超えたと判定することをさらに備える、請求項２３に記載の方法。
【請求項２５】
アウトオブサービス領域でのスキャンに関するユーザの好みに応じてサービスのスキャン同士の前記時間間隔を広げることをさらに備える、請求項２３に記載の方法。
【請求項２６】
ユーザと前記モバイルデバイスの相互作用がないことを検知したことに応じてサービスのスキャン同士の前記時間間隔を広げることをさらに備える、請求項２３に記載の方法。
【請求項２７】
ロケーションに応じてサービスのスキャン同士の前記時間間隔を広げることをさらに備える、請求項２３に記載の方法。
【請求項２８】
地理的位置判定信号を受信すること、ワイヤレスアクセス送信を検出すること、無線周波数環境を記憶されているロケーション記述に合致させること、アウトオブサービスロケーションを示すセルラパイロットを識別することのうちの選択された１つに基づいてロケーションを判定することをさらに備える、請求項２７に記載の方法。
【請求項２９】
エアインターフェース／アクセス技術のシステム選択のためにモバイル機器またはスマートカードをプロビジョニングする少なくとも１つのプロセッサであって、
複数のマルチモードシステム選択方式からマルチモードシステム選択方式を選択する第１のモジュールと、前記複数のマルチモードシステム選択方式のそれぞれは複数の無線アクセス技術から無線アクセス技術を選択するためのものであり、
前記複数の無線アクセス技術を使用するためのモバイルデバイスの機能制約を判定する第２のモジュールと、
前記マルチモードシステム選択方式および前記機能制約に従って、選択された無線アクセス技術を使用して無線アクセスネットワークと通信する第３のモジュールとを備えるプロセッサ。
【請求項３０】
エアインターフェース／アクセス技術のシステム選択のためにモバイル機器またはスマートカードをプロビジョニングするプログラムを記憶したコンピュータ可読記憶媒体であって、
前記プログラムが、
コンピュータに、複数のマルチモードシステム選択方式からマルチモードシステム選択方式を選択させる第１組のコードと、前記複数のマルチモードシステム選択方式のそれぞれは複数の無線アクセス技術から無線アクセス技術を選択するためのものであり、
前記コンピュータに、前記複数の無線アクセス技術を使用するためのモバイルデバイスの機能制約を判定させる第２組のコードと、
前記コンピュータに、前記マルチモードシステム選択方式および前記機能制約に従って、選択された無線アクセス技術を使用して無線アクセスネットワークと通信させる第３組のコードとを備えるコンピュータ可読記憶媒体。
【請求項３１】
エアインターフェース／アクセス技術のシステム選択のためにモバイル機器またはスマートカードをプロビジョニングする装置であって、
複数のマルチモードシステム選択方式からマルチモードシステム選択方式を選択する手段と、前記複数のマルチモードシステム選択方式のそれぞれは複数の無線アクセス技術から無線アクセス技術を選択するためのものであり、
前記複数の無線アクセス技術を使用するためのモバイルデバイスの機能制約を判定する手段と、
前記マルチモードシステム選択方式および前記機能制約に従って、選択された無線アクセス技術を使用して無線アクセスネットワークと通信する手段とを備える装置。
【請求項３２】
エアインターフェース／アクセス技術のシステム選択のためにモバイル機器またはスマートカードをプロビジョニングする装置であって、
複数のマルチモードシステム選択方式からマルチモードシステム選択方式を選択するコンピューティングプラットフォームと、前記複数のマルチモードシステム選択方式のそれぞれは複数の無線アクセス技術から無線アクセス技術を選択するためのものであり、
前記コンピューティングプラットフォームと相互接続され、前記複数の無線アクセス技術を使用するためのモバイルデバイスの機能制約を判定するスマートカードと、
前記マルチモードシステム選択方式および前記機能制約に従って、選択された無線アクセス技術を使用して無線アクセスネットワークと通信するトランシーバとを備える装置。
【請求項３３】
前記複数のマルチモードシステム選択方式は、３ＧＰＰマルチモードシステム選択方式と３ＧＰＰ２マルチモードシステム選択方式と汎用の好ましいローミングリストマルチモードシステム選択方式を備える、請求項３２に記載の装置。
【請求項３４】
前記コンピューティングプラットフォームと相互接続された前記スマートカードはさらに、モバイル事業者用の前記モバイルデバイスの加入者識別子のプロビジョニングを判定することによって前記機能制約を判定する、請求項３２に記載の装置。
【請求項３５】
前記コンピューティングプラットフォームと相互接続された前記スマートカードはさらに、取り外し可能なユーザ識別モジュール（Ｒ−ＵＩＭ）と、ＣＤＭＡ加入者識別モジュール（ＣＳＩＭ）を含む汎用ＩＣカード（ＵＩＣＣ）と、汎用加入者識別モジュール（ＵＳＩＭ）およびＣＳＩＭを含むＵＩＣＣと、加入者識別モジュール（ＳＩＭ）とから成るグループのうちの１つを検出することによって前記加入者識別子のプロビジョニングを判定する、請求項３４に記載の装置。
【請求項３６】
スマートカードの前記グループのうちの第２のスマートカードを検出することをさらに備え、前記グループのうちの前記第２のスマートカードは、前記グループのうちの前記１つとは異なり、
前記コンピューティングプラットフォームはさらに、前記グループのうちの前記第２の１つのプロビジョニングを判定し、前記グループのうちの前記１つおよび前記第２の１つを選択的にアクティブ化する、請求項３５に記載の装置。
【請求項３７】
前記コンピューティングプラットフォームと相互接続された前記スマートカードはさらに、エアインターフェースに関連する前記モバイルデバイスのトランシーバ制限を判定することによって前記機能制約を判定する、請求項３２に記載の装置。
【請求項３８】
前記コンピューティングプラットフォームと相互接続された前記スマートカードはさらに、シングルモードまたはマルチモードを介して通信することによって前記トランシーバ制限を判定する、請求項３７に記載の装置。
【請求項３９】
前記コンピューティングプラットフォームはさらに、前記トランシーバ制限を前記モバイルデバイスに組み込まれた前記スマートカード上に記憶する、請求項３７に記載の装置。
【請求項４０】
前記コンピューティングプラットフォームと相互接続された前記スマートカードはさらに、ローミングしているかあるいはホームにある前記モバイルデバイスのトランシーバ制限を判定することによって前記機能制約を判定する、請求項３７に記載の装置。
【請求項４１】
前記コンピューティングプラットフォームと相互接続された前記スマートカードはさらに、ＣＤＭＡ２０００エアインターフェースと３ＧＰＰエアインターフェースと３ＧＰＰ２エアインターフェースとＧＳＭエアインターフェースとＷｉＭＡＸエアインターフェースから成るグループのうちの少なくとも１つのエアインターフェース上で通信するための前記モバイルデバイスのトランシーバ制限を判定することによって前記機能制約を判定する、請求項３２に記載の装置。
【請求項４２】
前記コンピューティングプラットフォームはさらに、モバイルネットワークへの加入者識別子を含む集積回路カードである前記スマートカードとのハンドシェークを実行し、前記機能制約を判定する、請求項４１に記載の装置。
【請求項４３】
前記コンピューティングプラットフォームはさらに、前記コンピューティングプラットフォーム上に記憶されている第１のマルチモードシステム選択方式にアクセスし、前記スマートカード上に記憶されている第２のマルチモードシステム選択方式にアクセスする、請求項４２に記載の装置。
【請求項４４】
前記コンピューティングプラットフォームはさらに、前記マルチモードシステム選択方式および前記機能制約を満足する利用可能な複数の無線アクセス技術を判定し、優先順位設定に従って前記利用可能な複数の無線アクセス技術のうちの１つを選択する、請求項３２に記載の装置。
【請求項４５】
前記コンピューティングプラットフォームはさらに、指定された無線アクセス技術を有効化または無効化するネットワークコマンドを受信する、請求項３２に記載の装置。
【請求項４６】
前記コンピューティングプラットフォームはさらに、前記モバイルデバイスに対してプロビジョニングされるスマートカード上のエレメンタリファイルにアクセスすることによって、前記マルチモードシステム選択方式にアクセスする、請求項３２に記載の装置。
【請求項４７】
前記トランシーバはさらに、無線サービスプロビジョニングによって、前記マルチモードシステム選択方式用のローカルに記憶されたデータ構造を修正するコマンドを受信する、請求項３２に記載の装置。
【請求項４８】
前記コンピューティングプラットフォームはさらに、前記モバイルデバイスの地理的位置を判定し、前記選択された無線アクセス技術が前記地理的位置で利用可能であるかどうかを規定する前記機能制約にアクセスする、請求項３２に記載の装置。
【請求項４９】
前記コンピューティングプラットフォームはさらに、現在のカレンダー日付を判定し、前記選択された無線アクセス技術が前記現在のカレンダー日付で利用可能であるかどうかを規定する前記機能制約にアクセスする、請求項３２に記載の装置。
【請求項５０】
前記コンピューティングプラットフォームはさらに、スマートカードに含まれるジェネリックサービステーブル内の前記マルチモードシステム選択方式にアクセスする、請求項３２に記載の装置。
【請求項５１】
前記コンピューティングプラットフォームはさらに、前記モバイルデバイスの地理的位置を判定し、無線アクセス技術のマニュアル選択が前記地理的位置で利用可能であるかどうかを規定する前記機能制約にアクセスする、請求項３２に記載の装置。
【請求項５２】
前記コンピューティングプラットフォームはさらに、前記マルチモードシステム選択方式にアクセスし、１次選択として働くアンカーシステムを判定する、請求項３２に記載の装置。
【請求項５３】
前記コンピューティングプラットフォームはさらに、２つのエアインターフェースをアソシエートするために前記マルチモードシステム選択方式にアクセスする、請求項３２に記載の装置。
【請求項５４】
前記コンピューティングプラットフォームはさらに、前記モバイルデバイスがアウトオブサービス領域にあると判定し、サービスのスキャン同士の時間間隔を広げる、請求項３２に記載の装置。
【請求項５５】
前記コンピューティングプラットフォームがさらにサービスのスキャン同士の前記時間間隔を広げることは、しきい値を超えたと判定することをさらに備える、請求項５４に記載の装置。
【請求項５６】
前記コンピューティングプラットフォームはさらに、アウトオブサービス領域でのスキャンに関するユーザの好みに応じてサービスのスキャン同士の前記時間間隔を広げる、請求項５４に記載の装置。
【請求項５７】
前記コンピューティングプラットフォームはさらに、ユーザと前記モバイルデバイスの相互作用がないことを検知したことに応じてサービスのスキャン同士の前記時間間隔を広げる、請求項５４に記載の装置。
【請求項５８】
前記コンピューティングプラットフォームはさらに、ロケーションに応じてサービスのスキャン同士の前記時間間隔を広げる、請求項５４に記載の装置。
【請求項５９】
前記トランシーバおよび前記コンピューティングプラットフォームはさらに、地理的位置判定信号を受信すること、ワイヤレスアクセス送信を検出すること、無線周波数環境を記憶されているロケーション記述に合致させること、アウトオブサービスロケーションを示すセルラパイロットを識別することのうちの選択された１つに基づいてロケーションを判定する、請求項５８に記載の装置。
【請求項６０】
エアインターフェース／アクセス技術のシステム選択のためにモバイル機器またはスマートカードをプロビジョニングする方法であって、
ホスト無線アクセス技術を使用してホスト無線アクセスネットワークからモバイルデバイスにサービスを提供することと、
複数のマルチモードシステム選択方式から選択されたマルチモードシステム選択方式を含むデータ構造を修正するコマンドをモバイルデバイスに送信することとを備え、前記複数のマルチモードシステム選択方式のそれぞれは複数の無線アクセス技術から無線アクセス技術を選択するためのものであり、
前記モバイルデバイスは、前記コマンドに少なくとも部分的に基づいて前記複数の無線アクセス技術を使用するための機能制約を判定する方法。
【請求項６１】
前記マルチモードシステム選択方式を選択することは、３ＧＰＰマルチモードシステム選択方式と３ＧＰＰ２マルチモードシステム選択方式と汎用の好ましいローミングリストマルチモードシステム選択方式の間で選択することを備える、請求項６０に記載の方法。
【請求項６２】
前記コマンドを送信することは、取り外し可能なユーザ識別モジュール（Ｒ−ＵＩＭ）と、ＣＤＭＡ加入者識別モジュール（ＣＳＩＭ）を含む汎用ＩＣカード（ＵＩＣＣ）と、汎用加入者識別モジュール（ＵＳＩＭ）およびＣＳＩＭを含むＵＩＣＣと、加入者識別モジュール（ＳＩＭ）とから成るグループのうちの１つから加入者識別子を受信したことに応答して前記モバイルデバイスをプロビジョニングすることをさらに備える、請求項６０に記載の方法。
【請求項６３】
前記コマンドを送信することは、ＣＤＭＡ２０００エアインターフェースと３ＧＰＰエアインターフェースと３ＧＰＰ２エアインターフェースとＧＳＭエアインターフェースとＷｉＭＡＸエアインターフェースから成るグループの少なくとも１つのエアインターフェース上で通信するための前記モバイルデバイスのトランシーバ制限を判定したことに応答する、請求項６０に記載の方法。
【請求項６４】
前記コマンドを送信することは、前記モバイルデバイスに対してプロビジョニングされるスマートカード上のエレメンタリファイルを修正することをさらに備える、請求項６０に記載の方法。
【請求項６５】
前記コマンドを送信して、無線サービスプロビジョニングによって前記マルチモード選択方式用のローカルに記憶されたデータ構造を修正することをさらに備える、請求項６０に記載の方法。
【請求項６６】
前記コマンドを送信することは、スマートカードに含まれるジェネリックサービステーブル内の前記マルチモード選択方式を修正することをさらに備える、請求項６０に記載の方法。
【請求項６７】
前記コマンドを送信することは、前記モバイルデバイスの地理的位置に基づいてローミングの好ましいローミングリストをプロビジョニングすることをさらに備える、請求項６０に記載の方法。
【請求項６８】
前記コマンドを送信することはバイナリ形式で前記コマンドを送信することを備える、請求項６０に記載の方法。
【請求項６９】
前記コマンドを送信することはレコード形式で前記コマンドを送信することを備える、請求項６０に記載の方法。
【請求項７０】
エアインターフェース／アクセス技術のシステム選択のためにモバイル機器またはスマートカードをプロビジョニングする少なくとも１つのプロセッサであって、
ホスト無線アクセス技術を使用してホスト無線アクセスネットワークからモバイルデバイスにサービスを提供する第１のモジュールと、
複数のマルチモードシステム選択方式から選択されたマルチモードシステム選択方式を含むデータ構造を修正するコマンドを前記モバイルデバイスに送信する第２のモジュールとを備え、前記複数のマルチモードシステム選択方式のそれぞれは複数の無線アクセス技術から無線アクセス技術を選択するためのものであり、
前記モバイルデバイスは、前記コマンドに少なくとも部分的に基づいて前記複数の無線アクセス技術を使用するための機能制約を判定する少なくとも１つのプロセッサ。
【請求項７１】
エアインターフェース／アクセス技術のシステム選択のためにモバイル機器またはスマートカードをプロビジョニングするプログラムを記憶したコンピュータ可読記憶媒体であって、
前記プログラムが、
コンピュータに、ホスト無線アクセス技術を使用してホスト無線アクセスネットワークからモバイルデバイスにサービスを提供させる第１組のコードと、
前記コンピュータに、複数のマルチモードシステム選択方式から選択されたマルチモードシステム選択方式を含むデータ構造を修正するコマンドを前記モバイルデバイスに送信させる第２組のコードとを備え、前記複数のマルチモードシステム選択方式のそれぞれは複数の無線アクセス技術から無線アクセス技術を選択するためのものであり、
前記モバイルデバイスは、前記コマンドに少なくとも部分的に基づいて前記複数の無線アクセス技術を使用するための機能制約を判定するコンピュータ可読記憶媒体。
【請求項７２】
エアインターフェース／アクセス技術のシステム選択のためにモバイル機器またはスマートカードをプロビジョニングする装置であって、
ホスト無線アクセス技術を使用してホスト無線アクセスネットワークからモバイルデバイスにサービスを提供する手段と、
複数のマルチモードシステム選択方式から選択されたマルチモードシステム選択方式を含むデータ構造を修正するコマンドを前記モバイルデバイスに送信する手段とを備え、前記複数のマルチモードシステム選択方式のそれぞれは複数の無線アクセス技術から無線アクセス技術を選択するためのものであり、
前記モバイルデバイスは、前記コマンドに少なくとも部分的に基づいて前記複数の無線アクセス技術を使用するための機能制約を判定する装置。
【請求項７３】
エアインターフェース／アクセス技術のシステム選択のためにモバイル機器またはスマートカードをプロビジョニングする装置であって、
ホスト無線アクセス技術を使用してホスト無線アクセスネットワークからモバイルデバイスにサービスを提供するスケジューラと、
複数のマルチモードシステム選択方式から選択されたマルチモードシステム選択方式を含むデータ構造を修正するコマンドを前記モバイルデバイスに送信するトランシーバとを備え、前記複数のマルチモードシステム選択方式のそれぞれは複数の無線アクセス技術から無線アクセス技術を選択するためのものであり、
前記モバイルデバイスは、前記コマンドに少なくとも部分的に基づいて前記複数の無線アクセス技術を使用するための機能制約を判定する装置。
【請求項７４】
前記マルチモードシステム選択方式を選択することは、３ＧＰＰマルチモードシステム選択方式と３ＧＰＰ２マルチモードシステム選択方式と汎用の好ましいローミングリストマルチモードシステム選択方式の間で選択することを備える、請求項７３に記載の装置。
【請求項７５】
前記トランシーバがさらに前記コマンドを送信することは、取り外し可能なユーザ識別モジュール（Ｒ−ＵＩＭ）と、ＣＤＭＡ加入者識別モジュール（ＣＳＩＭ）を含む汎用ＩＣカード（ＵＩＣＣ）と、汎用加入者識別モジュール（ＵＳＩＭ）およびＣＳＩＭを含むＵＩＣＣと、加入者識別モジュール（ＳＩＭ）とから成るグループのうちの１つから加入者識別子を受信したことに応答して前記モバイルデバイスをプロビジョニングすることをさらに備える、請求項７３に記載の装置。
【請求項７６】
前記トランシーバがさらに前記コマンドを送信することは、ＣＤＭＡ２０００エアインターフェースと３ＧＰＰエアインターフェースと３ＧＰＰ２エアインターフェースとＧＳＭエアインターフェースとＷｉＭＡＸエアインターフェースから成るグループのうちの少なくとも１つのエアインターフェース上で通信するための前記モバイルデバイスのトランシーバ制限を判定したことに応答する、請求項７３に記載の装置。
【請求項７７】
前記トランシーバはさらに、前記モバイルデバイスに対してプロビジョニングされるスマートカード上のエレメンタリファイルを修正するために前記コマンドを送信する、請求項７３に記載の装置。
【請求項７８】
前記トランシーバはさらに、無線サービスプロビジョニングによって前記マルチモードシステム選択方式用のローカルに記憶されたデータ構造を修正するために前記コマンドを送信する、請求項７３に記載の装置。
【請求項７９】
前記トランシーバはさらに、スマートカードに含まれるジェネリックサービステーブル内の前記マルチモードシステム選択方式を修正するために前記コマンドを送信する、請求項７３に記載の装置。
【請求項８０】
前記トランシーバはさらに、前記モバイルデバイスの地理的位置に基づいてローミングの好ましいローミングリストをプロビジョニングするために前記コマンドを送信する、請求項７３に記載の装置。
【請求項８１】
前記トランシーバはさらに、前記コマンドをバイナリ形式で送信する、請求項７３に記載の装置。
【請求項８２】
前記トランシーバはさらに、前記コマンドをレコード形式で送信する、請求項７３に記載の装置。
【発明の詳細な説明】
【技術分野】
【０００１】
本特許出願は、「Ｍｅｔｈｏｄ  ａｎｄ  Ａｐｐａｒａｔｕｓ  ｆｏｒ  Ｐｒｏｖｉｓｉｏｎｉｎｇ  Ｍｕｌｔｉｍｏｄｅ  Ｓｙｓｔｅｍ  Ｓｅｌｅｃｔｉｏｎ  Ｐａｒａｍｅｔｅｒｓ」という名称を有し、２００９年１０月２０日に出願された米国特許仮出願第６１／２５３，４３６号および「Ｍｅｔｈｏｄ  ａｎｄ  Ａｐｐａｒａｔｕｓ  ｆｏｒ  Ｐｒｏｖｉｓｉｏｎｉｎｇ  Ｍｕｌｔｉｍｏｄｅ  Ｓｙｓｔｅｍ  Ｓｅｌｅｃｔｉｏｎ  Ｐａｒａｍｅｔｅｒｓ」という名称を有し、２００９年５月１３日に出願された米国特許仮出願第６１／１７７，９８２号に対する優先権を主張する。上記の各出願は、本譲受人に譲渡され、引用によって本明細書に明示的に組み込まれる。
【０００２】
本開示は、モバイル動作環境に関し、より詳細には、様々なアクセス技術を選択できるようにモバイル機器またはスマートカードをプロビジョニングすることに関する。
【背景技術】
【０００３】
音声、データなどの様々な種類の通信コンテンツを供給するためにワイヤレス通信システムが幅広く配備されている。このようなシステムは、利用可能なシステムリソース（たとえば、帯域幅および送信電力）を共用することによって複数のユーザとの通信をサポートすることのできる多元接続システムであってよい。このような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
一般に、ワイヤレス多元接続通信システムは、複数のワイヤレス端末用の通信を同時にサポートすることができる。各端末は、順方向リンクおよび逆方向リンク上の送信を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単一入力単一出力システム、多入力単一出力システム、または多入力多出力（ＭＩＭＯ）システムを介して確立することができる。
【０００５】
第三世代（３Ｇ）携帯電話技術の１つにＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）がある。ＵＭＴＳ  Ｔｅｒｒｅｓｔｒｉａｌ  Ｒａｄｉｏ  Ａｃｃｅｓｓ  Ｎｅｔｗｏｒｋの略語であるＵＴＲＡＮは、ＵＭＴＳ無線アクセスネットワークを構成するＮｏｄｅ  Ｂおよび無線ネットワークコントローラを集合的に表す語である。この通信ネットワークは、リアルタイム回線交換からＩＰベースのパケット交換まで多数のトラヒックタイプを搬送することができる。ＵＴＲＡＮは、ＵＥ（ユーザ機器）とコアネットワークとの接続を可能にする。ＵＴＲＡＮは、Ｎｏｄｅ  Ｂと呼ばれる基地局と、無線ネットワークコントローラ（ＲＮＣ）とを含む。ＲＮＣは、１つまたは複数のＮｏｄｅ  Ｂ用の制御機能を実現する。Ｎｏｄｅ  ＢとＲＮＣは同じデバイスであってよい。ただし、通常の実装は、複数のＮｏｄｅ  Ｂにサービスを提供する中央局に配置された別個のＲＮＣを有する。Ｎｏｄｅ  ＢとＲＮＣを物理的に分離する必要がないにもかかわらず、それらの間にＩｕｂと呼ばれる論理インターフェースがある。ＲＮＣおよびそれに対応するＮｏｄｅ  Ｂは無線ネットワークサブシステム（ＲＮＳ）と呼ばれる。ＵＴＲＡＮには複数のＲＮＳが存在してよい。
【０００６】
ＣＤＭＡ２０００（ＩＭＴマルチキャリア（ＩＭＴ  ＭＣ）とも呼ばれる）は、ＣＤＭＡチャネルアクセスを使用してモバイル電話とセルサイトとの間で音声、データ、シグナリングデータを送信する一群の３Ｇモバイル技術規格である。この規格には、ＣＤＭＡ２０００  １Ｘ、ＣＤＭＡ２０００  １ｘＥＶ−ＤＯ  Ｒｅｖ．０、ＣＤＭＡ２０００  ＥＶ−ＤＯ  Ｒｅｖ．Ａ、およびＣＤＭＡ２０００  ＥＶ−ＤＯ  Ｒｅｖ．Ｂがある。これらはすべてＩＴＵのＩＭＴ−２０００向けの承認されたエアインターフェースである。ＣＤＭＡ２０００は、技術的な歴史が比較的長く、それ以前の２ＧイテレーションＩＳ−９５（ｃｄｍａＯｎｅ）との後方互換性を有する。
【０００７】
ＣＤＭＡ２０００  １Ｘ（ＩＳ−２０００）は、１ｘおよび１ｘＲＴＴとも呼ばれ、コアＣＤＭＡ２０００ワイヤレスエアインターフェース規格である。符号「１ｘ」は、１倍無線送信技術を意味し、ＩＳ−９５と同じＲＦ帯域幅、すなわち１．２５ＭＨｚ無線チャネルのデュプレックスペアを示す。１ｘＲＴＴは、元の１組の６４個のトラヒックチャネルに直交する６４個のトラヒックチャネルをさらに順方向リンクに付加することによってＩＳ−９５の容量をほぼ２倍にする。１Ｘ規格は、最高で１５３ｋｂｐｓのパケットデータ速度をサポートし、それによって、大部分の商用アプリケーションで実環境データ送信が平均で６０〜１００ｋｂｐｓになる。ＩＭＴ−２０００は、媒体アクセス制御プロトコルおよびリンクアクセス制御プロトコルおよびＱｏＳを含め、データサービスの使用を拡大するために、データリンク層にも変更を加えた。ＩＳ−９５データリンク層は、データに関し「ベストエフォート提供」を、音声に関し回線交換チャネルを実現したに過ぎなかった（すなわち、２０ｍｓおきに１つの音声フレーム）。
【０００８】
ＣＤＭＡ２０００  １ｘＥＶ−ＤＯ（Ｅｖｏｌｕｔｉｏｎ−Ｄａｔａ  Ｏｐｔｉｍｉｚｅｄ）は、ＥＶ−ＤＯまたはＥＶと呼ばれることが多く、無線信号によるデータのワイヤレス送信、通常はブロードバンドインタネットアクセスに関する電気通信規格である。ＣＤＭＡ２０００  １ｘＥＶ−ＤＯは、符号分割多元接続（ＣＤＭＡ）と時分割多元接続（ＴＤＭＡ）とを含む多重化技術を使用して個々のユーザのスループットとシステム全体のスループットを最大にする。ＣＤＭＡ２０００  １ｘＥＶ−ＤＯは、第三世代パートナーシッププロジェクト２（３ＧＰＰ２）によってＣＤＭＡ２０００規格群の一部として標準化され、世界中の多数のモバイル電話サービスプロバイダ、特に以前からＣＤＭＡネットワークを使用している業者によって採用されている。
【０００９】
３ＧＰＰ  ＬＴＥ（Ｌｏｎｇ  Ｔｅｒｍ  Ｅｖｏｌｕｔｉｏｎ）は、ＵＭＴＳモバイル電話規格を将来の要件に対処するように向上させる第三世代パートナーシッププロジェクト（３ＧＰＰ）内のプロジェクトに付けられた名称である。この目標は、効率を向上させることと、コストを削減することと、サービスを改善することと、新しいスペクトルオポチュニティを利用することと、他のオープン規格をよりうまく統合することとを含む。ＬＴＥシステムは、一連のＥｖｏｌｖｅｄ  ＵＴＲＡ（ＥＵＴＲＡ）およびＥｖｏｌｖｅｄ  ＵＴＲＡＮ（ＥＵＴＲＡＮ）仕様に記載されている。
【００１０】
ハンドセットが加入者ネットワークと相互接続するには、ハンドセットによって保持されている加入者ＩＤが必要になる。たとえば、取り外し可能なＳＩＭカード上の加入者識別モジュール（ＳＩＭ）は、モバイル電話デバイス（モバイル電話およびコンピュータなど）上での身分証明のためにサービス−加入者キーを安全に記憶する。ＳＩＭカードによって、ユーザは、１つのモバイル電話からＳＩＭカードを取り出し、別のモバイル電話またはブロードバンド電話デバイスに挿入するだけで電話を変更することができる。
【００１１】
ＳＩＭカードは、固有の通し番号と、モバイルデバイスの国際移動体加入者識別番号（ＩＭＳＩ）と、セキュリティ認証および暗号化情報、ローカルネットワークに関する一時情報と、ユーザがアクセスできるサービスのリストと、２つのパスワード（通常の用途用のＰＩＮとロック解除用のＰＵＫ）とを含む。
【００１２】
各ＳＩＭカードは、以下の番号フォーマットの固有の国際移動体加入者識別番号（ＩＭＳＩ）、すなわち、（ａ）最初の３桁がモバイルカントリーコード（ＭＣＣ）を表し、（ｂ）次の２桁または３桁がモバイルネットワークコード（ＭＮＣ）を表し、（ｃ）残りの数字が移動局識別（ＭＳＩＤ）番号を表す国際移動体加入者識別番号（ＩＭＳＩ）を記憶し、（ｄ）ＳＩＭカードは、ＩＣカード識別（ＩＣＣ−ＩＤ）番号も有する。
【００１３】
仮想ＳＩＭは、ユーザのモバイル電話上で電話呼び出し(phone call)をターミネート(terminate)するためにＳＩＭカードを要求しない、モバイルネットワーク事業者から提供されるモバイル電話番号である。
【００１４】
ＲＵＩＭカード（およびＲ−ＵＩＭ）すなわち取り外し可能なユーザ識別モジュールは、ＣＤＭＡ２０００ネットワーク向けに作製された携帯電話用の取り外し可能なスマートカードである。ＲＵＩＭは、基本的にＣＤＭＡ２０００システム用の３ＧＰＰ／ＥＴＳＩ  ＳＩＭであり、それらはどちらもＩＣカード（ＩＣＣ）に基づいている。ＲＵＩＭカードは、名前およびアカウント番号、携帯電話番号、電話帳、テキストメッセージ、ならびに他の設定のような、ユーザの個人情報を保持する。
【００１５】
ＣＤＭＡ２０００加入者識別モジュール（ＣＳＩＭ）は、汎用ＩＣカード（ＵＩＣＣ）と呼ばれるより新しいスマートカード上で動作するアプリケーションである。ＵＩＣＣは、ＣＳＩＭアプリケーション、ＵＳＩＭアプリケーション、ＳＩＭおよび／またはＲ−ＵＩＭを記憶することができ、全世界の携帯電話ネットワークとのオペレーションを有効化するのに使用することができる。ＵＩＣＣは、ＣＳＩＭおよびＵＳＩＭなどのアプリケーションディレクトリファイル（ＡＤＦ）を保持する。ＳＩＭおよびＲ−ＵＩＭはＩＣＣに基づくレガシカードである。ＳＩＭとＲ−ＵＩＭはどちらもＵＩＣＣに追加することができるが、ＡＤＦとしてではなく、ＤＦ（ディレクトリファイル）として追加することができる。ＣＳＩＭアプリケーションを保持することのできるＵＩＣＣは、ユーザが、あるモバイル電話からスマートカードを取り出し、他のモバイル電話またはブロードバンド電話デバイスに挿入するだけで電話を変更することができる。
【００１６】
以下では、語「スマートカード」は、これらの技術およびその均等物を包含するのに使用される。
【００１７】
デュアルモード（またはマルチモード）モバイルは、シングルモードモバイルと異なり、複数の形態のデータ送信またはネットワークと互換性を有するモバイル電話を指す。たとえば、デュアルモード電話は、複数の技術を使用して音声およびデータを送受信する電話であってよい。このことはワイヤレスモバイル電話または有線電話に当てはまる。
【００１８】
一態様では、デュアルモードは、音声およびデータ用の２種類のセルラ無線を含むモバイル電話のようなネットワーク互換性を指すことができる。これらの電話は、ＧＳＭ（登録商標）技術とＣＤＭＡ技術の組み合わせを含む。これらの電話は、ユーザの好みに応じてＧＳＭ電話またはＣＤＭＡ電話として使用することができる。これらのハンドセットは、グローバル電話とも呼ばれ、本質的に１つのデバイスにおける２つの電話である。ｃｄｍａ２０００とＧＳＭのデュアルモード電話についてのこの特定の例では、Ｒ−ＵＩＭ情報はモバイル機器（ハンドセットシェル）に記憶される１枚のカード（ＳＩＭのみ）または２枚のカード（Ｒ−ＵＩＭおよびＳＩＭ）のいずれかの２つの可能性がある。
【００１９】
他の態様では、デュアルモードモバイルは、セルラ無線と非セルラ無線の両方を音声およびデータ通信に使用することができる。ＧＳＭ／ＣＤＭＡ／Ｗ−ＣＤＭＡを含むセルラ無線、ならびにＩＥＥＥ８０２．１１（ＷｉＦｉ）無線、ＷｉＭＡＸ、またはＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）無線のような他の技術を使用する２種類のデュアルモード電話がある。これらの電話は、ワイドエリアセルラネットワークに接続されると携帯電話として使用することができる。適切なＷｉ−ＦｉネットワークまたはＤＥＣＴネットワークの範囲内では、電話をすべての通信のためにＷｉ−Ｆｉ／ＤＥＣＴ電話として使用することができる。この運用方法は、（ネットワーク事業者と加入者の両方について）コストを削減し、室内受信範囲を向上し、データアクセス速度を速くする。
【００２０】
Ｗｉ−Ｆｉは、ワイヤレス分配方法（通常スペクトラム拡散またはＯＦＤＭ）を介してデバイスとリンクし、通常、アクセスポイントを通じてより広域のインタネットとの接続を実現するワイヤレスローカルエリアネットワーク（ＷＬＡＮ）のサブセットである。これによって、ユーザは、ローカル受信範囲内を自由に移動しても、ネットワークに接続することができる。
【００２１】
ＷｉＭＡＸは、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓの略語であり、一定の、十分に移動可能なインタネットアクセスを実現する電気通信技術である。ＷｉＭＡＸはＩＥＥＥ８０２．１６規格（Ｂｒｏａｄｂａｎｄ  Ｗｉｒｅｌｅｓｓ  Ａｃｃｅｓｓとも呼ばれる）に基づく技術である。「ＷｉＭＡＸ」という名前は、この規格の適合性および相互運用性を推進するために２００１年６月に形成されたＷｉＭＡＸフォーラムによって作成された。このフォーラムは、「ケーブルおよびＤＳＬに代わる手段としてラストマイルワイヤレスブロードバンドアクセスの提供を実現可能にする、規格に基づく技術」とＷｉＭＡＸを記述している。
【００２２】
ハンドセットとその加入者識別のこれらの様々な接続性制限および様々なアクセス技術によって、システム選択パラメータおよびサービス管理に関するデバイスのプロビジョニングには問題がある。
【発明の概要】
【００２３】
以下に、１つまたは複数の態様を基本的に理解できるようにこれらの態様の簡単な概要を示す。この概要は、考えられるすべての態様の広範囲な概要ではなく、また、すべての態様の重要または重大な要素を識別するものでも、あらゆるまたはすべての態様の範囲を定めるものでもない。この概要の唯一の目的は、以下のより詳細な説明の前置きとして１つまたは複数の態様のいくつかの概念を簡略的に示すことである。
【００２４】
一態様では、エアインターフェース／アクセス技術のシステム選択のためにモバイル機器またはスマートカードをプロビジョニングする方法が提供される。複数の無線アクセス技術から無線アクセス技術を選択するマルチモードシステム選択方式にアクセスする。複数の無線アクセス技術を使用するためのモバイルデバイスの機能制約を判定する。モバイルデバイスが、マルチモードシステム選択方式および機能制約に従って、選択された無線アクセス技術を使用して無線アクセスネットワークと通信する。
【００２５】
他の態様では、エアインターフェース／アクセス技術のシステム選択のためにモバイル機器またはスマートカードをプロビジョニングする少なくとも１つのプロセッサが提供される。第１のモジュールが、複数の無線アクセス技術から無線アクセス技術を選択するマルチモードシステム選択方式にアクセスする。第２のモジュールが、複数の無線アクセス技術を使用するためのモバイルデバイスの機能制約を判定する。第３のモジュールが、マルチモードシステム選択方式および機能制約に従って、選択された無線アクセス技術を使用して無線アクセスネットワークと通信する。
【００２６】
他の態様では、エアインターフェース／アクセス技術のシステム選択のためにモバイル機器またはスマートカードをプロビジョニングするコンピュータプログラム製品が提供される。非一時的コンピュータ可読記憶媒体が数組のコードを備える。第１組のコードが、コンピュータに、複数の無線アクセス技術から無線アクセス技術を選択するマルチモードシステム選択方式にアクセスさせる。第２組のコードが、コンピュータに複数の無線アクセス技術を使用するためのモバイルデバイスの機能制約を判定させる。第３組のコードが、コンピュータに、マルチモードシステム選択方式および機能制約に従って、選択された無線アクセス技術を使用して無線アクセスネットワークと通信させる。
【００２７】
他のさらなる態様では、エアインターフェース／アクセス技術のシステム選択のためにモバイル機器またはスマートカードをプロビジョニングする装置が提供される。複数の無線アクセス技術から無線アクセス技術を選択するマルチモードシステム選択方式にアクセスする手段が設けられる。複数の無線アクセス技術を使用するためのモバイルデバイスの機能制約を判定する手段が設けられる。マルチモードシステム選択方式および機能制約に従って、選択された無線アクセス技術を使用して無線アクセスネットワークと通信する手段が設けられる。
【００２８】
他の態様では、エアインターフェース／アクセス技術のシステム選択のためにモバイル機器またはスマートカードをプロビジョニングする装置が提供される。コンピューティングプラットフォームが、複数の無線アクセス技術から無線アクセス技術を選択するマルチモードシステム選択方式にアクセスする。コンピューティングプラットフォームと相互接続されたスマートカードが、複数の無線アクセス技術を使用するためのモバイルデバイスの機能制約を判定する。トランシーバが、マルチモードシステム選択方式および機能制約に従って、選択された無線アクセス技術を使用して無線アクセスネットワークと通信する。
【００２９】
さらにもう１つの態様では、エアインターフェース／アクセス技術のシステム選択のためにモバイル機器またはスマートカードをプロビジョニングする方法が提供される。ホスト無線アクセスネットワークが、ホスト無線アクセス技術を使用してモバイルデバイスにサービスを提供する。ホスト無線アクセスネットワークは、複数の無線アクセス技術から無線アクセス技術を選択するマルチモードシステム選択方式を含むスマートカード上に記憶されているデータ構造を修正するコマンドをモバイルデバイスに送信する。モバイルデバイスは、コマンドに少なくとも部分的に基づいて複数の無線アクセス技術を使用するための機能制約を判定する。
【００３０】
さらに他の態様では、エアインターフェース／アクセス技術のシステム選択のためにモバイル機器またはスマートカードをプロビジョニングする少なくとも１つのプロセッサが提供される。第１のモジュールが、ホスト無線アクセス技術を使用してホスト無線アクセスネットワークからモバイルデバイスにサービスを提供する。第２のモジュールが、複数の無線アクセス技術から無線アクセス技術を選択するマルチモードシステム選択方式を含むデータ構造を修正するコマンドをモバイルデバイスに送信する。モバイルデバイスは、コマンドに少なくとも部分的に基づいて複数の無線アクセス技術を使用するための機能制約を判定する。
【００３１】
さらに他の態様では、エアインターフェース／アクセス技術のシステム選択のためにモバイル機器またはスマートカードをプロビジョニングするコンピュータプログラム製品が提供される。非一時的コンピュータ可読記憶媒体が数組のコードを備える。第１組のコードが、コンピュータにホスト無線アクセス技術を使用してホスト無線アクセスネットワークからモバイルデバイスにサービスを提供させる。第２組のコードが、コンピュータに、複数の無線アクセス技術から無線アクセス技術を選択するマルチモードシステム選択方式を含むデータ構造を修正するコマンドをモバイルデバイスに送信させる。モバイルデバイスは、コマンドに少なくとも部分的に基づいて複数の無線アクセス技術を使用するための機能制約を判定する。
【００３２】
さらに他の態様では、エアインターフェース／アクセス技術のシステム選択のためにモバイル機器またはスマートカードをプロビジョニングする装置が提供される。ホスト無線アクセス技術を使用してホスト無線アクセスネットワークからモバイルデバイスにサービスを提供する手段が設けられる。複数の無線アクセス技術から無線アクセス技術を選択するマルチモードシステム選択方式を含むデータ構造を修正するコマンドをモバイルデバイスに送信する手段が設けられる。モバイルデバイスは、コマンドに少なくとも部分的に基づいて複数の無線アクセス技術を使用するための機能制約を判定する。
【００３３】
さらに他の態様では、エアインターフェース／アクセス技術のシステム選択のためにモバイル機器またはスマートカードをプロビジョニングする装置が提供される。スケジューラが、ホスト無線アクセス技術を使用してホスト無線アクセスネットワークからモバイルデバイスにサービスを提供する。トランシーバが、複数の無線アクセス技術から無線アクセス技術を選択するマルチモードシステム選択方式を含むデータ構造を修正するコマンドをモバイルデバイスに送信する。モバイルデバイスは、コマンドに少なくとも部分的に基づいて複数の無線アクセス技術を使用するための機能制約を判定する。
【００３４】
上述の目的および関連する目的を実現するために、１つまたは複数の態様は、以下に詳しく説明し特に特許請求に範囲で指摘される特徴を備える。以下の説明および添付の図面は、１つまたは複数の態様のある例示的な特徴を詳しく示している。しかし、これらの特徴は、様々な態様の原則を使用することができる様々な方法のうちのいくつかを示しているに過ぎず、この説明は、そのような態様およびその等価物のすべてを含むものである。
【図面の簡単な説明】
【００３５】
【図１】複数のアクセス技術間のシステム選択のためにプロビジョニングされる通信システムの概略図。
【図２Ａ】マルチモードシステム選択のためにプロビジョニングされるユーザ機器のための方法の流れ図。
【図２Ｂ】ネットワークがユーザ機器をマルチモードシステム選択のためにプロビジョニングする方法の流れ図。
【図３】アウトオブサービス（ＯｏＳ）状態のときにサービスの連続的なスキャンが失敗するのを抑制する方法または動作のシーケンスの流れ図。
【図４Ａ】複数無線マルチモードシステム選択動作に関する方法または動作のシーケンスの流れ図。
【図４Ｂ】複数無線マルチモードシステム選択動作に関する方法または動作のシーケンスの流れ図。
【図４Ｃ】複数無線マルチモードシステム選択動作に関する方法または動作のシーケンスの流れ図。
【図４Ｄ】複数無線マルチモードシステム選択動作に関する方法または動作のシーケンスの流れ図。
【図５】マルチモードシステム選択に関するスマートカード内のエレメンタリフィールド（ＥＦ）のデータ構造の図。
【図６】図５のＥＦの符号化に関するデータ構造の図。
【図７】マルチモードシステム選択に関するモード設定用のＥＦのデータ構造の図。
【図８】マルチモードシステム選択に関するロケーションアソシエーテッド（location associated）優先順位リスト用のＥＦのデータ構造の図。
【図９】マルチモードシステム選択に関するシステム優先順位リスト用のＥＦのデータ構造の図。
【図１０】マルチモードシステム選択に関するワイヤレスローカルアクセスネットワーク構成用のＥＦのデータ構造の図。
【図１１】例示的なコンピューティング環境の図。
【図１２】少なくとも部分的にユーザ機器に組み込まれたマルチモードサービス選択をプロビジョニングする電気的コンポーネントの論理グループのブロック図。
【図１３】少なくとも部分的にノードに組み込まれたマルチモードサービス選択をプロビジョニングする電気的コンポーネントの論理グループのブロック図。
【図１４】マルチモードサービス選択をプロビジョニングする手段を有する装置のブロック図。
【図１５】マルチモードサービス選択をプロビジョニングする手段を有する装置のブロック図。
【発明を実施するための形態】
【００３６】
本開示の利点によって、マルチモードシステム選択（ＭＭＳＳ）がモバイルデバイス（ハンドセット）における複数の無線の使用に対処することを理解されたい。従来のＭＭＳＳは、ハンドセット内に単一のトランシーバが設けられる一般的な仮定に基づいて開発されている。しかし、実際のハンドセット開発は、（ａ）２つの受信器（ＲＸ）および１つのアクティブ送信器（ＴＸ）（２ＲＸ／１ＴＸ）ならびに（ｂ）同時にアクティブになる２つのトランシーバ（２ＲＸ／２ＴＸ）をサポートすることを対象としている。たとえば、同時にｃｄｍａ２０００  １ｘを介した音声およびＬＴＥを介したデータ（ＳＶＬＴＥ）をサポートするＬＴＥ／ＣＤＭＡ２０００ハンドセットを検討する。他の例として、回線交換フォールバック（ＣＳＦＢ）をサポートする１つのＴＸを有する二重ＲＸ（すなわち、複数の技術に使用される）を検討する。したがって、本イノベイションは、ＭＭＳＳを一般化して複数ＲＸ構成および／または複数ＴＸ構成をサポートすることによってそのような新しいハンドセットをサポートする。
【００３７】
現在、３ＧＰＰ２  Ｐｒｅｆｅｒｒｅｄ  Ｒｏａｍｉｎｇ  Ｌｉｓｔ（ＰＲＬ）は「アソシエーテッド・システム(Associated System)」をサポートしている。たとえば、１ｘおよびＨＲＰＤのようなｃｄｍａ２０００システムは各セットにグループ分けすることができる。ＰＲＬは、これらのシステムがＰＮ＿ＡＳＳＯＣＩＡＴＩＯＮを使用して共通の擬似ノイズ（ＰＮ）オフセットを共有するか、あるいはＤＡＴＡ＿ＡＳＳＯＣＩＡＴＩＯＮを使用して共通の１組のパケットデータサービングノード（ＰＤＳＮ）を共有するかを示すこともできる。これによって、異なる事業者のＤＯへのデータ接続を防止し、ホームＤＯでない場合には少なくともホーム（所望の）事業者の１ｘシステムに確実にデータ接続することができるようにすることによってデータ接続を管理することができる。
【００３８】
３ＧＰＰ２  ＭＭＳＳロケーションアソシエーテッド優先順位リスト（ＭＬＰＬ）およびＭＭＳＳシステム優先順位リスト（ＭＳＰＬ）は、３ＧＰＰシステムと３ＧＰＰ２システムとの間のシステム選択を可能にし、かつ単一ＲＸ／ＴＸシステム向けに設計された従来のＭＭＳＳをサポートする。
【００３９】
ＣＤＭＡ開発グループ（ＣＤＧ）は、これを「１ｘ−ＤＯハイブリッドモード」によってさらに改善しており、この場合、１ｘは、ＤＯシステム選択のためのアンカーシステムとして働き、１ｘシステムと「アソシエートされた(associated)」ＤＯシステムだけしか選択できない。新しい１ｘシステムが取得されると、アソシエートされた新しい１組のＤＯシステムしか選択できなくなる。ＤＯを取得しようとすると、取得された１ｘシステムとアソシエートされたシステムに限定される。これは、このようなアプローチがＤＯサービスの探索を高速化し、電力消費量を節約するからである。ＣＤＧは、ＭＭＳＳに他の要件、この場合も単一ＲＸ／ＴＸマルチモードハンドセットに関する要件を追加している。
【００４０】
２つのＲＸチェーンを有するにもかかわらず、移動局（ＭＳ）が、一方のＲＸチェーンの使用を試み、単一のＲＸチェーンしか有さない場合と同様に動作することができるある実装があることに留意されたい。第２のＲＸチェーンがより大きな電力（すなわち、ｄＢ）損失を導入する恐れがあるＳｉｍｕｌｔａｎｅｏｕｓ  Ｖｏｉｃｅ−Ｄａｔａ  Ｏｐｅｒａｔｉｏｎ（ＳＶＤＯ）の場合、第１のＲＸチェーンが主に使用される可能性がある。これに対して、２つのＲＸチェーンを有し、第２のＲＸチェーンがより近い品質であってよいＳＨＤＲの場合、第２のＲＸチェーンの方がずっと多く使用される可能性がある。それによって、複数の無線システムに関するシステム選択が現在、１ｘをアンカーシステムとする必要があるｃｄｍａ２０００システムに制限されているという点において欠点が生じることがある。従来のＭＭＳＳは単一ＲＸ／単一ＴＸの使用に制限されている。たとえば、１ｘ用の１つのＲｘチェーンとＬＴＥ用の別のＲＸチェーンとを有する１ｘＬＴＥデュアルモードハンドセットを考えた場合、この２つの無線に関するシステム選択は、たとえば、ｃｄｍａ２０００システムと同様なアソシエーションに基づいて、互いに調和して動作するかあるいは互いに独立に動作することができる。
【００４１】
まず、ベースバンドプロセッサの選択肢に１ｘと、発展型高速パケットデータ（ｅＨＲＰＤ）と、ＬＴＥの組み合わせとを含む無線構成例、すなわち（ａ）１ｘおよびｅＨＲＰＤ／ＬＴＥ（２つのプロセッサ）、（ｂ）１ｘ／ｅＨＲＰＤおよびＬＴＥ（２つのプロセッサ）、ならびに（ｃ）１ｘ／ｅＨＲＰＤ／ＬＴＥ（単一）を考える。ＲＸチェーンの数には（ａ）複数のプロセッサ間で共有される１つのＲＸチェーンと、（ｂ）各ＲＸチェーンに２つ１つのプロセッサと、（ｃ）アイドル状態での使用に関して共有される１つのＲＸチェーンと、第１のＲＸチェーンがアクティブ状態であるときに使用される第２のＲＸチェーンとを含めてよい。
【００４２】
したがって、本イノベイションは、ＭＳが、現在の１ｘ−ＤＯ制限を含む従来のＭＭＳＳを超える２つ以上のシステムについてのシステム選択を実行する手段を提供する。例示的な態様では、革新的な発展型ＭＭＳＳ（「ｅＭＭＳＳ」）は３ＧＰＰ／３ＧＰＰ２システムに対処する。
【００４３】
様々なトランシーバタイプ、すなわち（ａ）単一ＲＸ／単一ＴＸ（オフ周波数スキャン機能搭載）と、（ｂ）二重ＲＸ／単一ＴＸと、（ｃ）二重ＲＸ／二重ＴＸ（たとえば、ＳＶＬＴＥ、ＳＶＤＯ）と、（ｄ）複数のＲＸおよび／または複数のＴＸとを含む一般的な例を含むために対処すべき初期条件を考える。
【００４４】
対処すべき初期条件には、様々なエアインターフェース（ＡＩ）タイプ、すなわち、（ａ）ワイヤレスワイドエリアネットワーク（ＷＷＡＮ）（たとえば、１ｘ＋ＤＯなどの規格内エアインターフェース、ＬＴＥ／ｃｄｍａ２０００などの規格間（ＭＭＳＳ））と、（ｂ）非ＷＷＡＮエアインターフェース（たとえば、ワイヤレスローカルアクセスネットワーク（ＷＬＡＮ）、パーソナルアクセスネットワーク（ＰＡＮ））とを含めてもよい。話を明確にするために、本開示ではＷＷＡＮ  ＡＩタイプを中心に説明する。ただし、各態様を非ＷＷＡＮタイプに適用してもよいことを理解されたい。
【００４５】
一態様では、ｅＭＭＳＳは、利用可能な規格を変更する必要なしに上記の要件に対処することができる。
【００４６】
１（ａ）  まず、モバイルデバイスには、３ＧＰＰ／３ＧＰＰ２を有する１つの無線と３ＧＰＰ２を有する第２の無線（たとえば、それぞれｅＨＲＰＤ／ＬＴＥおよび１ｘ）とを搭載してよい。ｅＨＲＰＤ／ＬＴＥ側は、ＭＭＳＳならびに基本的なＰＲＬリストおよびＰＬＭＮリストを使用することができる。１ｘ側は、アソシエーションを有する第２のＰＲＬを使用することができる。特定の実装では、モバイルデバイスまたは端末が、アソシエートされたｅＨＲＰＤシステムを見つけるのを助けるために、アソシエートされたＨＲＰＤシステムをプロビジョニングすることができる。２つのＰＲＬリストおよびＰＬＭＮリストが適切にプロビジョニングされるように、１ｘ  ＡＩを第１のＰＲＬ（「ＰＲＬ１」）から取り外すことができ、ＨＲＰＤを第２のＰＲＬ（「ＰＲＬ２」）から取り外すことができる。ＰＬＭＮリストはＬＴＥにしかプロビジョニングできない。あるいは、単一のＰＲＬをＰＲＬ１およびＰＲＬ２のためにフィルタリングしてもよい。また、Ｏｖｅｒ−Ｔｈｅ−Ａｉｒ  Ｓｅｒｖｉｃｅ  Ｐｒｏｖｉｓｉｏｎｉｎｇ（ＯＴＡＳＰ）仕様およびスマートカード仕様では、それぞれ２つのＰＲＬを送信し記憶するために変更が必要になることがある。あるいは、単一のＰＲＬをモバイルに送信してもよく、モバイルは単一のＰＲＬを２つに分割し、分割されたＰＲＬがモバイル上の２つの場所またはスマートカード上の２つの場所（もしくは２枚のスマートカード）上に記憶される。当業者は、３ＧＰＰ２のＯＴＡＳＰについての例示的な開示である「Ｏｖｅｒ−ｔｈｅ−Ａｉｒ  Ｓｅｒｖｉｃｅ  Ｐｒｏｖｉｓｉｏｎｉｎｇ  ｏｆ  Ｍｏｂｉｌｅ  Ｓｔａｔｉｏｎｓ  ｉｎ  Ｓｐｒｅａｄ  Ｓｐｅｃｔｒｕｍ  Ｓｔａｎｄａｒｄｓ」Ｃ．Ｓ００１６−Ｄｖ１．０、２０１０年１月を認識すべきである。
【００４７】
１（ｂ）  第２に、モバイルデバイスまたは端末には、３ＧＰＰ／３ＧＰＰ２を有する１つの無線と３ＧＰＰを有する第２の無線（たとえば、ｅＨＲＰＤ／ＬＴＥおよびＧＳＭ／ＵＭＴＳ）を搭載してよい。ｅＨＲＰＤ／ＬＴＥ側は、ＭＭＳＳおよび基本的なＰＲＬリストおよびＰＬＭＮリストを使用することができる。ＧＳＭ側は、第２のＰｒｉｖａｔｅ  Ｌａｎｄ  Ｍｏｂｉｌｅ  Ｎｅｔｗｏｒｋ（ＰＬＭＮ）リストを使用することができる。ＰＲＬリストおよび２つのＰＬＭＮリストが適切にプロビジョニングされるように、１ｘ  ＡＩをＰＲＬから取り外すことができ、ＰＬＭＮリスト１はＬＴＥにしかプロビジョニングできず、ＰＬＭＮリスト２はＧＳＭ／ＵＭＴＳにしかプロビジョニングできない。一態様では、同じＰＬＭＮを使用してＰＬＭＮリスト１、リスト２を作成することができる。
【００４８】
１（ｃ）  第３に、モバイルデバイスまたは端末には、３ＧＰＰ２を有する１つの無線と３ＧＰＰを有する第２の無線（たとえば、１ｘ／ｅＨＲＰＤおよびＬＴＥ）とを搭載してよい。１ｘ／ｅＨＲＰＤ側はＰＲＬを使用することができ、ＬＴＥ側はＰＬＭＮを使用することができる。
【００４９】
１（ｄ）  第４に、モバイルデバイスまたは端末には、３ＧＰＰ／３ＧＰＰ２を有する１つの無線と３ＧＰＰ／３ＧＰＰ２を有する第２の無線（たとえば、１ｘ／ＧＳＭおよびｅＨＲＰＤ／ＬＴＥ）とを搭載してよい。１ｘ／ＧＳＭ側は、ＭＭＳＳ１およびＰＲＬ１、ＰＬＭＮ１を使用することができる。ｅＨＲＰＤ／ＬＴＥ側は、ＰＲＬ２およびＰＬＭＮ２を有するＭＭＳＳ２を使用する。同じＰＲＬ、ＰＬＭＮ、および／またはＭＭＳＳを再使用するオプションを実施することができる。ある実装では、複数のＭＭＳＳダウンロード（たとえば、ＭＭＳＳ１、ＭＭＳＳ２）をサポートするようにＯＴＡＳＰ仕様およびスマートカード仕様が変更されることがある。
【００５０】
他の態様では、本イノベイションによるＭＭＳＳは、適用可能な規格を変更する必要なしに上記の要件に対処することができる。このＭＭＳＳ手法は、ＭＭＳＳに対する、ＰＲＬにおけるようなシステムの暗黙的なアソシエーションを使用することができる。第１の選択肢として、暗黙的なアソシエーションは、一意のＭＳＰＬレコードとＭＬＰＬレコードの対にしか使用できない。第２の選択肢として、（ＰＲＬにおける）１ｘ／ｅＨＲＰＤアソシエーテッドペアを考えた場合、このｅＨＲＰＤシステムと等しいかあるいはより好ましい任意のシステムは、この１ｘ／ｅＨＲＰＤペアとアソシエートされたとみなされる。たとえば、ｃｄｍａ２０００システムは、特定の無線アクセス技術（ＲＡＴ）ではなくてＰＬＭＮ＿ＩＤとアソシエートされることができる。
【００５１】
２．他の態様では、本イノベイションによるＰＲＬ手法は、適用可能な規格を変更する要求とともに上記の要件に対処することができる。特に、これは、従来定義されているＰＲＬにＬＴＥシステムタイプおよび３ＧＰＰシステムタイプを追加するか、あるいは１ｘがアンカーのままである、現在定義されている１ｘ−ＤＯ／ＬＴＥハイブリッドモードを拡張することによって実現することができる。
【００５２】
３．適用可能な規格を変更することを必要とする他の態様として３ＧＰＰ手法を使用することができる。モバイルカントリーコード（ＭＣＣ）タイプ、モバイルネットワークコード（ＭＮＣ）タイプ、ＲＡＴタイプにリンクするために新しい基本ファイル（ＥＦ）（たとえば、ＥＦ（Ａｓｓｏｃｉａｔｅｄ＿Ｓｙｓｔｅｍｓ）を作成することができる。あるいは、この「Ａｓｓｏｃｉａｔｅｄ＿Ｓｙｓｔｅｍｓ」フィールドを追加してシステムをグループ分けすることによって既存のＥＦを修正してもよい。たとえば、ＭＣＣ／ＭＮＣ／ＲＡＴ／ＡＳＳＯＣＩＡＴＩＯＮ（１６ビット）は、Ｃ．Ｓ００１６−Ｄの新しいＭＣＣベースのＳｙｓ＿Ｒｅｃｏｒｄを使用してシステム識別子（ＳＩＤ）／ネットワーク識別子（ＮＩＤ）をＭＣＣ／ＭＮＣにマップすることができる。
【００５３】
４．他の態様では、（ＰＲＬにおける）アソシエーション機能をＭＭＳＳに追加するように適用可能な規格を変更することによってＭＭＳＳ手法を実施することができる。適切なプロビジョニングを確実に実現するために、ＭＳＰＬがＳＩＤ／ＮＩＤも、サブネットＩＤも、ＭＣＣ／ＭＮＣも明示的にリストしないことに留意されたい。プロビジョニングでは、ＭＬＰＬがＭＳＰＬを指し示すことが必要になることがある。しかし、複数のＭＬＰＬが同じＭＳＰＬを指し示すことがある。ＭＳＰＬは、ＰＲＬアソシエーション手法に従って規格間エアインターフェース（ＡＩ）（たとえば、ＬＴＥ−１ｘ）に対処するように修正することができる。この手法が同じ規格のＡＩ（たとえば、１ｘ／ＤＯまたはＬＴＥ／ＧＳＭ）に適用できることを理解されたい。
【００５４】
ＭＭＳＳに新しいフィールドを追加することができる。
【００５５】
ＡＳＳＯＣＩＡＴＩＯＮ＿ＩＮＣＬ（１ビット）、
ＭＳＰＬレコード内で一意である値を有するＡＳＳＯＣＩＡＴＩＯＮ＿ＴＡＧ（８ビット）、
ＡＩ同士が同じＰＤＳＮを共有する場合にのみセットされるＮＥＴＷＯＲＫ＿ＡＳＳＯＣＩＡＴＩＯＮ（１ビット）、
システムが、（ハイブリッド１ｘＤＯにおける１ｘと同様に）システム選択のために１次システムになるアンカーシステムであるかどうかを示すＡＮＣＨＯＲ＿ＳＹＳＴＥＭ（０ビットまたは１ビット）。ＡＳＳＯＣＩＡＴＩＯＮ＿ＩＮＣＬ＝１であり、アンカーとして示されているシステムがない場合、アンカーシステムはない。アプリケーションによっては、複数のアンカーを使用してもよい。
【００５６】
ＣＥＬＬ＿ＩＤＥＮＴＩＴＹ＿ＡＳＳＯＣＩＡＴＩＯＮ（０または１）は、ｃｄｍａ２０００システムに関するＰＮ＿ＯＦＦＳＥＴとＬＴＥに関するＣＥＬＬ＿ＩＤＥＮＴＩＴＹとのアソシエーションがあることを示す。あるいは、新しいフィールドを伴わないシステム同士のアソシエーションを実現することができる。ＭＬＰＬ／ＭＳＰＬペア（ＭＬＰＬはＭＳＰＬを指し示す）によって示されるシステムは「アソシエートされたシステム(Associated Systems)」とみなすことができる。上述のような２つの無線（たとえば、１ｘ＋ｅＨＲＰＤ／ＬＴＥ）は、適切にフィルタリングされた同じＭＭＳＳを使用し、互いに独立に動作することができる。より粒度の高いアソシエーションが必要である場合、疎なＭＬＰＬ／ＭＳＰＬペアをより粒度の高い２つ以上のＭＬＰＬ／ＭＳＰＬぺアに分離することができる。
【００５７】
ｃｄｍａ２０００とＬＴＥとのセルアソシエーションに関しては、ＰＲＬは、アソシエートされた１ｘシステムとＤＯシステムが、取得をアンカー１ｘシステムと同じ位置に配置されたＤＯシステムに限定し、かつ電源電力を節約するために共通のＰＮオフセットを共有するかどうかを示すことができる。ＬＴＥとｃｄｍａ２０００（または３ＧＰＰシステム全般）をアソシエートする同様の物理（ＰＨＹ）層機構は、特に初期ロールアウトの間に同じ利点をもたらす。それによって、ハンドセットが、マッピングテーブルを参照することなどによって３×１６８＝５０４個の一意のＬＴＥセルＩＤについて網羅的にスキャンする必要はなくなる。ＭＳＰＬにおける同様のフィールドを追加してＬＴＥセルＩＤをｃｄｍａ２０００  ＰＮ＿ＯＦＦＳＥＴ（たとえば、ＰＮ＿ＣＥＬＬ＿ＩＤＥＮＴＩＴＹ＿ＡＳＳＯＣＩＡＴＩＯＮ）に結合することができる。
【００５８】
このマッピングは、いくつかの例示的な方法で行うことができる。一態様では、事業者が使用することのできる、ｃｄｍａ２０００  ＰＮオフセット（たとえば、５１２）への５０４個のＬＴＥセルＩＤの１つまたは複数の一意のマッピングを作成することができる。他の態様では、同じ位置に配置されたＬＴＥセクタのセルＩＤをブロードキャストするように１ｘ／ＤＯブロードキャストメッセージを標準化することができる。モバイルデバイスまたは端末での記憶のためにマッピングテーブルを作成することができる。たとえば、事業者用のすべてのＲＡＴ間のマッピングを新しいテーブルに記憶してもよい。
【００５９】
ＬＴＥおよびｃｄｍａ２０００を超える拡張に関しては、同様に、各態様を広帯域ＣＤＭＡ（ＷＣＤＭＡ）における５１２個のスクランブリングコードに結合することができる。前述のように、暗黙的なアソシエーションを使用してよい。ＬＴＥシステムは、暗黙的に常にｅＨＲＰＤシステム以上であってよく、アソシエートされたと仮定することができる。一変形例では、１ｘ／ｅＨＲＰＤ／ＬＴＥのすべてが１つのチップに含められ、しかも２つのＲＸ（１ＴＸまたは２ＴＸ）チェーンを有するか、あるいはＧＳＭ／ＵＭＴＳが追加されたような様々な無線構成を設けることができる。他の変形例では、３ＧＰＰまたは３ＧＰＰ２に加えてあるいは３ＧＰＰまたは３ＧＰＰ２の代わりにＷｉＭＡＸも有してよい（たとえば、１ｘおよびｅＨＲＰＤ／ＬＴＥ／ＷｉＭＡＸ、１ｘおよびｅＨＲＰＤ／ＬＴＥおよびＷｉＭＡＸなど）。さらなる変形例では、３つ以上のチップ／受信チェーンに拡張してよい（たとえば、１ｘ／ｅＨＲＰＤおよびＬＴＥおよびＷｉＭＡＸおよび衛星リンク）。他の変形例では、ＰＲＬ１とＰＲＬ２は同じ基本的なＰＲＬを使用することができるが、未使用のシステムを除外することができる。ＰＬＭＮ１およびＰＬＭＮ２ならびにＭＭＳＳ１およびＭＭＳＳ２を同様に取り扱うことができる。さらに他の態様では、帯域クラスおよびチャネル番号情報がこの情報を有してよい。取得時間が節約されることを理解されたい。
【００６０】
互いに独立に実行される２つ以上のシステム選択方式を有する態様では、これらの方式間で情報を共用できるようにすることによって改善された動作を実現することができる。たとえば、ＭＭＳＳ（ｅＨＲＰＤ／ＬＴＥの場合）およびＰＲＬ（１ｘの場合）を考えた場合、ＭＭＳＳを実行するＲＸ１がＯｖｅｒ−ｔｈｅ−Ａｉｒ（ＯＴＡ）ＭＣＣ／ＭＮＣを読み取る場合、ＲＸ１は、ＰＲＬを実行するＲＸ２にこの情報を転送し、他の受信器チェーンについてのスキャンを高速化することができる。
【００６１】
他の態様では、不要な無線をオフにすることができる。たとえば、ＬＴＥを有さない国では、第２のＲＸチェーンをオフにしてよく、ＬＴＥ無線（またはＬＴＥ無線の一部）をオフにしてもよい。デバイスをあるモードに設定して特定の無線を自動的にあるいは手動で探すのを回避することができる。
【００６２】
他の態様では、それぞれ、独自の別々のＭＭＳＳリスト、ＰＲＬリスト、およびＰＬＭＮリストを有する、複数の汎用ＩＣカード（ＵＩＣＣ）またはＩＣカード（ＩＣＣ）をハンドセット内に有してよい。さらに他の態様では、デバイスは、電池を節約するために、かつ／あるいは第２の無線またはスマートカードを必要としない国の場合に、一方のカードをオフにすることができる。
【００６３】
一態様では、端末状態を示すユーザインターフェース（ＵＩ）ディスプレイが設けられる。たとえば、ＵＩディスプレイは、単一無線であるかそれとも二重無線であるか、どの無線が使用されているか、限定サービス領域であるか、それともアウトオブサービス領域であるか、マニュアルシステム選択モードであるか、それとも自動モードであるか、それとも電源投入モードであるか、あるいはどのスマートカードまたはＩＣカード（ＩＣＣ）がアクティブであるかどうかを示すことができる。また、オフにされているスマートカードをオンに戻すとき、デバイスが、キャッシュされているＰＩＮ情報に基づいてユーザと対話することなく、ＰＩＮ検証を行うことができる。これによって、スマートカードがオンに戻されるたびにユーザがＰＩＮを入力する必要はなくなる。これらの表示は、直感的なアイコンまたはアナンシエータであってよい。
【００６４】
本開示の様々な態様について以下に詳しく説明する。本明細書の教示を様々な形態で実現することができ、本明細書で開示されるどの特定の構造または機能も代表的なものに過ぎないことが明らかであろう。当業者には、本明細書の教示に基づいて、本明細書で開示される態様を他の態様とは独立に実施することができ、かつこれらの態様のうちの２つ以上の態様を様々な方法で組み合わせることができることを理解されたい。たとえば、本明細書に記載された態様のうちの任意の数の態様を使用して装置を実現するかあるいは方法を実施することができる。また、本明細書に記載された態様のうちの１つまたは複数の態様の他に他の構造または機能を使用してあるいは１つまたは複数の態様以外の構造または機能を使用して装置を実現するかあるいは方法を実施することができる。一例として、本明細書に記載された方法、デバイス、システム、および装置の多くは、モバイル通信環境において動的クエリおよびレコメンデーションを行う文脈で記載されている。当業者は、同様の技術を他の通信環境および非通信環境にも適用できることを理解されたい。
【００６５】
本開示では、語「コンテント」および「オブジェクト」は、任意の種類のアプリケーション、マルチメディアファイル、画像ファイル、実行可能ファイル、プログラム、ウェブページ、スクリプト、ドキュメント、プレゼンテーション、メッセージ、データ、メタデータ、またはデバイス上でレンダリング、処理、もしくは実行することのできる任意の他の種類の媒体もしくは情報を記述するのに使用される。
【００６６】
本開示では、語「コンポーネント」、「システム」、「モジュール」などは、コンピュータ関連エンティティ、すなわち、ハードウェア、ソフトウェア、実行時ソフトウェア、ファームウェア、ミドルウェア、マイクロコード、またはそれらの任意の組み合わせを指すものである。たとえば、コンポーネントは、プロセッサ上で実行されるプロセス、オブジェクト、実行可能ファイル、実行のスレッド、プログラム、またはコンピュータであってよいが、それらに限らない。１つまたは複数のコンポーネントは、プロセスまたは実行のスレッド内に常駐してもよく、１つのコンポーネントは、１台のコンピュータ上にローカライズされるか、あるいは２台以上のコンピュータ間で分散されてもよい。また、これらのコンポーネントは、様々なデータ構造が記憶された様々なコンピュータ可読媒体から実行することができる。各コンポーネントは、ローカルプロセスまたはリモートプロセスを介し、たとえば、１つまたは複数のデータパケットを有する信号に従って通信することができる（たとえば、あるコンポーネントからのデータが、ローカルシステム、分散システム内の他のコンポーネントと相互作用するか、あるいはインタネットなどのネットワークを介し信号を介して他のシステムと相互作用する）。また、本明細書で説明するシステムの各コンポーネントは、これらのコンポーネントに関して記載される様々な態様、目標、利点などの実現を容易にするように再構成するかあるいは追加のコンポーネントによって補足することができ、かつ当業者によって理解されるように、所与の図に記載された厳密な構成に限定されない。
【００６７】
また、本明細書に開示される各態様に関連して記載される様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理デバイス、離散ゲート論理もしくは離散トランジスタ論理、離散ハードウェアコンポーネント、または本明細書に記載される機能を実行するように構成されたこれらのデバイス、論理、およびコンポーネントの任意の適切な組み合わせによって実現または実行することができる。汎用プロセッサは、マイクロプロセッサであってよいが、他の態様では、プロセッサは任意の従来のプロセッサ、コントローラ、マイクロコントローラ、または状態マシンであってよい。プロセッサは、コンピューティングデバイスの組み合わせ、たとえば、ＤＳＰとマイクロプロセッサ、複数のマイクロプロセッサ、ＤＳＰコアと連動する１つまたは複数のマイクロプロセッサ、あるいは他の任意の適切な構成として実現されてもよい。また、少なくとも１つのプロセッサは、本明細書に記載される動作または処置のうちの１つまたは複数の動作または処置を実行するように動作可能な１つまたは複数のモジュールを備えてよい。
【００６８】
さらに、本明細書に記載される様々な態様または特徴は、標準的なプログラミング技術またはエンジニアリング技術を使用して方法、装置、または製造品として実現することができる。また、本明細書で開示される態様に関連して記載される方法またはアルゴリズムの動作または処置は、ハードウェア、プロセッサによって実行されるソフトウェアモジュール、またはその２つの組み合わせで直接実施することができる。また、いくつかの態様では、方法またはアルゴリズムの動作または処置は、コンピュータプログラム製品に組み込むことができる機械読み取り可能な媒体またはコンピュータ可読媒体上の少なくとも１つのコードもしくは命令またはコードもしくは命令の任意の組み合わせまたは少なくとも１組のコードもしくは命令として常駐してもよい。また、本明細書で使用される語「製造品」は、任意のコンピュータ可読デバイス、キャリア、または媒体からアクセス可能なコンピュータプログラムを包含するものである。たとえば、コンピュータ可読媒体は、磁気記憶デバイス（たとえば、ハードディスク、フロッピディスク、磁気ストリップなど）、光ディスク（たとえば、コンパクトディスク（ＣＤ）、デジタルバーサタイルディスク（ＤＶＤ）など）、スマートカード、およびフラッシュメモリデバイス（たとえば、カード、スティック、キードライブなど）を含んでよいが、それらに限らない。また、本明細書で説明する様々な記憶媒体は、１つまたは複数のデバイスあるいは情報を記憶する他の機械読み取り可能な媒体を表すことができる。語「機械読み取り可能な媒体」は、ワイヤレスチャネル、および命令またはデータを記憶するか、含むか、あるいは保持することができる様々な他の媒体を含んでよいが、それらに限らない。
【００６９】
また、本明細書では、様々な態様は、モバイルデバイスに関連して記載されている。モバイルデバイスは、システム、加入者ユニット、加入者局、移動局、モバイル、モバイルデバイス、携帯デバイス、マルチモードデバイス、リモート局、リモート端末、アクセス端末、ユーザ端末、ユーザエージェント、ユーザデバイス、またはユーザ機器などと呼ばれることもある。加入者局は、携帯電話、コードレス電話、セッション確立プロトコル（ＳＩＰ）電話、ワイヤレスローカルループ（ＷＬＬ）局、パーソナルデジタルアシスタント（ＰＤＡ）、ワイヤレス接続機能を有するハンドヘルドデバイス、またはワイヤレスモデムに接続された他の処理デバイスもしくは処理デバイスとのワイヤレス通信を容易にする同様の機構であってよい。
【００７０】
上記のことに加えて、語「例示的な」は、本明細書では例、インスタンス、例示として働くことを意味する。本明細書で「例示的な」と記載されるあらゆる態様または設計は、必ずしも他の態様または設計と比べて好ましいかあるいは有利な構成または設計として解釈されるわけではない。むしろ、語「例示的な」を使用する場合は、概念を具体的に示すことが意図されている。また、本出願および添付の特許請求の範囲では、語「または」は、排他的な「または」ではなく両立的な「または」を意味するものである。すなわち、特に指定がない限り、あるいは文脈から明らかでない限り、「ＸがＡまたはＢを使用する」は、自然な両立的順序のいずれかを意味するものである。すなわち、この例では、Ｘは、Ａを使用することができ、あるいはＢを使用することができ、あるいはＡとＢの両方を使用することができ、したがって、文「ＸはＡまたはＢを使用する」は、上記の例のいずれかの下で満たされる。また、冠詞「ａ」および「ａｎ」は一般に、特に指定がない限りあるいは単数形を対象とすることが文脈から明らかでない限り「１つまたは複数の」を意味するものと解釈されるべきである。
【００７１】
本明細書では、語「推論する」または「推論」は、イベントまたはデータを介して得られた１組の観測からシステム、環境、またはユーザの状態を判断または推定するプロセスを一般に指す。推論は、特定の文脈または処置を識別するのに使用されるか、あるいはたとえば、各状態にわたる確率分布を生成することができる。推論は、確率的であってよく、すなわち、データおよびイベントを検討することに基づく注目する各状態にわたる確率分布の計算であってよい。推論は、１組のイベントまたはデータからより高いレベルのイベントを構成するのに使用される技術を指すこともある。このような推論では、イベント同士が時間的に近接しているかどうか、イベントおよびデータが１つまたはいくつかのイベント供給源から得られるかそれともデータ供給源から得られるかにかかわらず、１組の観測されたイベントまたは記憶されているイベントデータから新しいイベントまたは処置が構成される。
【００７２】
次に様々な態様について図面を参照して説明する。以下の説明では、説明の都合上、１つまたは複数の態様を完全に理解できるように多数の特定の詳細が記載されている。しかし、これらの特定の詳細なしに様々な態様を実施できることは明白である。他の場合には、これらの態様の説明を容易にするために公知の構造およびデバイスがブロック図で示されている。
【００７３】
図１には、複数規格通信システム（「ワイヤレスシステム」）１００において、第１および第２の無線アクセス技術（ＲＡＴ）１０４、１０６として示されている複数のアクセス技術間のシステム選択のためにプロビジョニングされるモバイル機器（たとえば、端末、ハンドセット、ユーザイクイップメントなど）１０２として装置が示されている。モバイルデバイスまたはユーザイクイップメント（ＵＥ）１０２は、ホームにいてもよく、または、ローミングしていてもよい。
【００７４】
ワイヤレスＵＥ１０２は、多数の異なる名称、たとえば、携帯電話、移動局、ワイヤレスハンドセットなどによって識別することができる。本イノベイションの範囲は、これらのシステム、名称、用語、および同様の種類のワイヤレスシステムの各要素の実装ならびにそのような他のシステム、名称、用語、および実装を対象としている。ＵＥ１０２は、１つまたは複数の携帯電話、ワイヤレス接続されたコンピュータ、ＰＤＡ（パーソナルデジタルアシスタント）、ページャ、ナビゲーションデバイス、音楽コンテンツダウンロードユニットまたはビデオコンテンツダウンロードユニット、ワイヤレスゲームデバイス、在庫管理ユニット、またはエアインターフェースを介してワイヤレスに通信する他の同様の種類のデバイスを含む多数の異なる種類のワイヤレスデバイスを備えてよい。携帯サービスまたはその他のワイヤレス電気通信サービスは、データリンクまたはその他のネットワークリンクを通じ、公衆交換電話網（ＰＳＴＮ）、インタネット、Ｉｎｔｅｇｒａｔｅｄ  Ｓｅｒｖｉｃｅｓ  Ｄｉｇｉｔａｌ  Ｎｅｔｗｏｒｋ（ＩＳＤＮ）、１つまたは複数のローカルエリアネットワーク（ＬＡＮ）またはワイドエリアネットワーク（ＷＡＮ）または仮想プライベートネットワーク（ＶＰＮ）、あるいはそのような他のネットワークであってよい固定ネットワーク１５０を介してキャリアネットワークと通信することができる。
【００７５】
特定のＭＭＳＳ方式を選択する場合、３ＧＰＰ、３ＧＰＰ２、汎用ＰＲＬのような複数の選択肢から行うことができる。モバイル機器１０２は、複数の送信器および受信器アンテナ１１０を介してＲＡＴ１０４、１０６およびワイヤレスアクセスポイント１１２と同時にあるいは順次通信することができるトランシーバ１０８を有するように示されている複数の無線構成を有することができる。コンピューティングプラットフォーム１１４は、マルチモードシステム選択（ＭＭＳＳ）方式１１６にアクセスして複数のＲＡＴ１０４、１０６からＲＡＴ１０４、１０６を選択する。コンピューティングプラットフォーム１１４は、スマートカード１１８と相互接続されており、複数のＲＡＴ１０４、１０６を使用するためのモバイルデバイス１０２の機能制約１２０を判定する。Ｒ−ＵＩＭ、ＣＳＩＭのみを有するＵＩＣＣ、ＵＳＩＭおよびＣＳＩＭを有するＵＩＣＣ、ＳＩＭのような様々な種類のスマートカード１１８を使用してよい。
【００７６】
トランシーバ１０８は、ＭＭＳＳ方式１１６、およびモバイルデバイス１０２の無線機能であってよい機能制約１２０に従って選択されたＲＡＴ１０４、１０６を使用して特定の無線アクセスネットワーク（ＲＡＮ）１２２、１２４と通信する。たとえば、利用可能な無線モードは、ｃｄｍａ２０００、３ＧＰＰ、およびＷｉＭＡＸのある組み合わせ（たとえば、ＬＴＥ／ｃｄｍａ２０００、ｃｄｍａ２０００のみ、ＧＳＭのみ）を含んでよい。
【００７７】
ユーザインターフェース１２６は、マニュアルシステム選択に関するユーザコントロール１２８を提示することができる。
【００７８】
上記の代わりにあるいは上記に加えて、ＲＡＮ１２２のスケジューラ１３０は、ホストＲＡＴ１０４を使用するホストＲＡＮとしてモバイルデバイス１０２にサービスを提供することができる。トランシーバ１３２は、ＭＭＳＳコマンド１３４をモバイルデバイス１０２に送信し、複数のＲＡＴ１０４、１０６からＲＡＴ１０４、１０６を選択するＭＭＳＳ方式１１６を含むデータ構造を修正する。この場合、モバイルデバイス１０２は、コマンド１３４に少なくとも部分的に基づいて複数のＲＡＴ１０４、１０６を使用するための機能制約１２０を判定する。
【００７９】
通信システム１００は、複数のＭＭＳＳ方式のうちの１つを選択する手段を有するだけでなく、様々なエアインターフェース技術／アクセス技術の各々を選択する（たとえば、有効化および無効化する）手段を有し得る。コマンド１３４は、マニュアルシステム選択に関するユーザコントロール１２８を地理的位置または事業者の関数として有効化することができる。たとえば、ある日付の後で特定のＲＡＴ／ＡＩをサポートできなくなる。あるいは、ある地理的領域において特定のＲＡＴ／ＡＩをサポートできなくなる。これをＭＭＳＳから無効化すると、サービスを取得する際に不要なスキャンまたは遅延を避けることができる。
【００８０】
ＭＭＳＳ１１６は、スマートカード１１８上で定義済みのＭＭＳＳ  ＥＦ（エレメンタリファイル）を使用することができる。スマートカード１１８は定義済みのＭＭＳＳコマンド１１６をサポートすることができる。
【００８１】
ＭＭＳＳコマンド１１６は、バイナリ形式またはレコードベースの形式で定義することができる。
【００８２】
ＭＭＳＳにはサービス番号を定義することができる。
【００８３】
ＯＴＡＳＰコマンドはＭＭＳＳにおける個々のレコードの挿入、更新、および削除を行うために使用することができ、これらのレコードに関してスマートカードＥＦおよびコマンドを定義することができる。
【００８４】
ＬＴＥ定義およびＩＯＴＡ−ＤＭ定義を使用してＭＭＳＳを拡張することができる。
【００８５】
各方式は、ＣＤＭＡ  ＯＴＡＳＰシステムを介してスマートカード上のサービスを管理し、ジェネリックサービステーブルを使用して、スマートカード上のＭＭＳＳサービスを含む共通のサービスを管理する方式を定義することができる。ＭＭＳＳ方式は、レガシＲ−ＵＩＭがＬＴＥ／ｃｄｍａ２０００電話に挿入されたときのシナリオにどのように対処するかを指定することができる。
【００８６】
モバイルデバイス１０２とスマートカード１１８は、ハンドシェークを行うことができ、各々は、各々がどのＭＭＳＳ方式をサポートするかを示す。複数の方式が合致する場合、ネットワーク１２２は、モバイルデバイス１０２が使用できるＭＭＳＳ方式１１６の優先順位リスト１２６を事前にプロビジョニングすることができる。合致する方式が１つだけである場合、モバイルデバイス１０２はその合致した方式を選択する。たとえば、３ＧＰＰ２  ＭＭＳＳおよび３ＧＰＰ／３ＧＰＰ２間のベーシックトグル(basic toggle)が合致し、前者の方がより好ましい場合、モバイルデバイス１０２はＭＭＳＳを選択することができる。合致する方式が３ＧＰＰ  ＰＬＭＮだけである場合、モバイルデバイス１０２は、３ＧＰＰ  ＰＬＭＮを選択することができ、ｃｄｍａ２０００ハンドセットとして機能することはできなくなる。Ｒ−ＵＩＭカードがマルチモード端末に挿入された場合、端末は、ｃｄｍａ２０００モード、ｃｄｍａ２０００＋１ｘＥＶ−ＤＯモード、ｃｄｍａ２０００＋１ｘＥＶ−ＤＯ＋ＧＳＭモードでのみ動作する。事業者およびＲ−ＵＩＭが、ＰＬＭＮエントリおよびＳＩＭ用のＤＦ（ＧＳＭ）を有し、国際移動体加入者識別番号（ＩＭＳＩ）がプロビジョニングされた汎用ＰＲＬをサポートする場合、ＭＭＳＳが機能することができる。
【００８７】
ＣＳＩＭが存在しない場合、３ＧＰＰ  ＰＬＭＮを使用することができる。３ＧＰＰ  ＰＬＭＮリストが、ｃｄｍａ２０００  ＲＡＴと、ＭＣＣ／ＭＮＣからＳＩＤ／ＮＩＤへのテーブルマッピングとを含む場合、ＭＭＳＳを使用することができる。Ｒ−ＵＩＭ用のＤＦ（ＣＤＭＡ）はＩＤおよびクレデンシャル情報に使用することができる。他の場合には、３ＧＰＰシステムを選択することができる。
【００８８】
ＣＳＩＭが存在するが、ＤＦ（ＭＭＳＳ）は存在しない場合、上記と同様の実装を使用してよい。
【００８９】
ＭＭＳＳ方式の優先順位リストと一緒にＥＦ（またはＯＴＡＳＰメッセージ）を定義しプロビジョニングすることができる。モバイルデバイス１０２は、そのエアインターフェース（ＡＩ）機能をスマートカード１１８に記憶することができる。
【００９０】
システム選択ダウンロードおよびスマートカードストレージに関しては、一般に、ターゲット位置に適合されたユーザにカスタムダウンロードを可能にすることができる。たとえば、２つのＰＲＬをホームＰＲＬおよびローミングＰＲＬに関して選択的にプロビジョニングすることができる。モバイルデバイス１０２に対する地理ベースのプロビジョニングを使用することができる。いくつかの実装では、たとえば、特定の国に適用できるＰＲＬに限定された、複数のＰＲＬのうちの必要な一部または選択された１つのＰＲＬのみをプロビジョニングまたはダウンロードすることによって、無線リソースまたはオンボードリソースのいずれかを節約することができる。
【００９１】
利用可能な電池電力を消費するのを避けるために、ＭＭＳＳ方式は、モバイルデバイス１０２がアウトオブサービス（ＯｏＳ）状態であるときにスキャンを低減または停止する機能を組み込むことができる。たとえば、配備されたとき、モバイルデバイス１０２は、ＨＲＰＤサービスがもはや利用できず、ＰＲＬにリストされていないにもかかわらず、デフォルトでそのようなサービスを探索することがある。特定のシナリオとして、モバイルデバイス１０２が、１ｘサービスしか提供しない国でローミングすることを考える。圏外になると、モバイルデバイスは、ＯＯＳの間にＨＲＰＤをスキャンすることがある。これは、すべてのシステム選択方式（たとえば、３ＧＰＰ、ＷｉＭＡＸ）に当てはまる。この状況を軽減または回避するには、（たとえば、ＯＯＳ状態での）この特定のＡＩのスキャンが許可されていない（または必要でない）ことを明示的に示すことができるフィールドをＰＲＬ（またはＰＬＭＮ）に追加する。モバイルデバイス１０２がリストされていないＡＩをスキャンできるようにこのフィールドをプロビジョニングしないという選択肢も存在する。この実装は、特に基本ＭＳＰＬ（ＭＭＳＳシステム優先順位リスト）システムエントリ：ｃｄｍａ２０００＿ＡＩおよび３ＧＰＰ＿ＡＩが使用されるときにＭＭＳＳに適用することができる。
【００９２】
本開示の利点によって、ＲＡＴ／ＡＩの有効化／無効化が、周波数、チャネル、または帯域クラスの関数として、および地理的な二次元座標または三次元座標によって定義し実行することができることを理解されたい。さらに、コグニティブ無線によって認識されるチャネル条件および干渉条件を検出してサービスのスキャンに適応的な変更を施すことができる。
【００９３】
さらに図１を参照すると分かるように、ワイヤレスコンピュータシステム１００は、本イノベイションの様々な開示に従って移動局およびクライアントデバイスをサポートする態様を組み込むことができる。ワイヤレスシステム１００は通常、コアネットワーク１５０と、１つまたは複数の無線ネットワークサブシステムと、ワイヤレスユーザ機器１０２とを含む。ＲＮＳは、ベースノード１５２に接続されたスケジューラ１３０として示された１つまたは複数のそれぞれの無線ネットワークコントローラを含む。ベースノード１５２は、実装の詳細に応じて、他の形態をとってよい。図示されているワイヤレスネットワークは、例示的なものに過ぎず、各コンポーネント間の無線通信を可能にする任意のシステムを含んでよい。
【００９４】
様々なスケジューラ１３０要素およびベースノード１５２要素との間の通信は通常、インタネットおよび／または公衆交換電話網（ＰＳＴＮ）の一部を含んでよいこの陸上通信線ネットワークを介して実行される。上流側では、スケジューラ１３０を上述のような複数のネットワーク、たとえば、ＰＳＴＮ、インタネット、ＩＳＤＮなどに接続することができ、したがって、クライアントＵＥ１０２デバイスがより広範囲の通信ネットワークにアクセスすることができる。音声送信だけでなく、データを、ショートメッセージサービス（ＳＭＳ）または当技術分野で公知の他の無線（ＯＴＡ）方法を介してクライアントデバイスに送信することができる。
【００９５】
ベースノード１５２は、データメッセージまたは他の情報を当業者に公知の無線（ＯＴＡ）方法によってワイヤレスにＵＥ１０２にブロードキャストする。たとえば、ＵＥ１０２とベースノード１５２との間のワイヤレス信号は、ＣＤＭＡ（符号分割多元接続）、ＴＤＭＡ（時分割多元接続）、ＦＤＭＡ（周波数分割多元接続）、ＯＦＤＭ（直交周波数分割多重化）、およびＧＳＭ、ＬＴＥ、もしくは通信ネットワークまたはデータネットワークで使用される他の同様のワイヤレスプロトコルのような符号化技術のハイブリッドを使用する任意のシステムを含むがそれらに限らない、いくつかの異なる技術のいずれかに基づく信号であってよい。
【００９６】
ベースノード１５２は、適切な符号化プロトコルまたは符号化方式で、送信すべき情報を符号化し、受信された情報を復号するエンコーダ／デコーダ１３１を含む。ベースノードは、ＵＥ１０２からアンテナ１５１を介してパケットをワイヤレスで受信し、パケットをスケジューラ１３０に送信する（パケットは陸上通信線を介して送信することができる）受信器／送信器回路１３２を含むことができる。ベースノード１５２は、無線通信に関わるプロセスおよび活動、特に本明細書に記載されたプロセスまたは活動を実行または制御することのできる回路または他の論理を含むプロセッサ１５８も含む。
【００９７】
ベースノード１５２は、本明細書に記載されたようにワイヤレス通信を行う際に使用すべき様々なプロトコル、ルーチン、プロセス、またはソフトウェアを記憶するメモリ１５４を含むように構成されてもよい。たとえば、メモリ１５４は、ＵＥ１０２との通信に関する１つまたは複数の送信方式、プロトコル、またはストラテジを記憶することができる。これらの送信方式、ストラテジ、およびプロトコルには、データの喪失または破損による再送信のタイミング、冗長バージョン符号化（もしあれば）、およびワイヤレス通信の送受信に使用すべきあらゆる符号化方式または符号化プロトコルに関する情報が含まれる。この情報は、スケジューラ１３０のメモリに記憶され、必要に応じてあるいは周期的な更新およびシステムメンテナンスを実行する間にベースノード１５２に伝達されてもよい。
【００９８】
ＵＥ１０２は通常、ベースノード１５２の対応する部分の機能と同様の機能を実行する、プロセッサまたは他の論理１６２と、メモリ１６４と、エンコーダ／デコーダ回路１６０とを含む。たとえば、エンコーダ回路１６０、またはＵＥ１０２と一体の他の同様の回路は、データをベースノード１５２に送信されるパケットとして符号化するかあるいは他の方法でカプセル化するように構成される。各ＵＥ１０２は、受信器／送信器回路１０８と、当業者に公知である、情報をワイヤレスに送受信する他の電子機器も有する。
【００９９】
ＵＥ１０２は、プロセッサ１６２と示されている論理を含む。実際には、この論理は、常駐の構成済み論理、マイクロプロセッサ、デジタル信号プロセッサ（ＤＳＰ）、マイクロコントローラ、あるいはこれらの組み合わせ、または少なくとも本明細書に記載される動作を実行するように構成された他の同様のハードウェア、ソフトウェア、および／またはファームウェアを実行する１つまたは複数の処理回路の形に構成されてよい。ＵＥ１０２は、加入者識別モジュール（ＳＩＭ）、またはＵＥ１０２を識別し、ＵＥ１０２がその端末で電話をかけかつ電話を受け、さらに他の加入サービスを受信するのを可能にするそのような他の回路を含んでよい。ＳＩＭカード上に記憶されているＵＥ１０２のＩｎｔｅｒｎａｔｉｏｎａｌ  Ｍｏｂｉｌｅ  Ｅｑｕｉｐｍｅｎｔ  Ｉｄｅｎｔｉｔｙ（ＩＭＥＩ）は、その特定のＵＥ１０２を一意に識別する。ＳＩＭカードは、認証のために認証センタ（ＡｕＣ）レジスタから得られる秘密キーのコピー、ならびにセキュリティプロトコル、識別プロトコル、および通信プロトコルに関する他の情報と一緒に、システムの加入者を識別するのに使用される国際移動体加入者識別番号（ＩＭＳＩ）を有してもよい。ＵＥ１０２には、ゲーム、ニュース、株式モニタ等のような１つまたは複数のソフトウェアアプリケーションがインストールされるかあるいはそうでなければそれらがダウンロードされることが多い。
【０１００】
図２Ａには、エアインターフェース／アクセス技術のシステム選択のためにモバイル機器またはスマートカードをプロビジョニングする方法または動作のシーケンス２００が示されている。複数のＲＡＴからＲＡＴを選択するＭＭＳＳ方式にアクセスする（ブロック２０４）。複数のＲＡＴを使用するためモバイルデバイスの機能制約を判定する（ブロック２０６）。モバイルデバイスは、ＭＭＳＳ方式および機能制約に従って、選択されたＲＡＴを使用して無線アクセスネットワークと通信する（ブロック２０８）。
【０１０１】
図２Ｂには、エアインターフェース／アクセス技術のシステム選択のためにモバイル機器またはスマートカードをプロビジョニングする方法または動作のシーケンス２５０が示されている。ホストＲＡＮがホストＲＡＴを使用してモバイルデバイスにサービスを提供する（ブロック２５４）。ホストＲＡＮは、複数のＲＡＴからＲＡＴを選択するＭＭＳＳ方式を含むデータ構造を修正するコマンドをモバイルデバイスに送信する（ブロック２５６）。モバイルデバイスは、コマンドに少なくとも部分的に基づいて複数の無線アクセス技術を使用するための機能制約を判定する（ブロック２５８）。
【０１０２】
図３には、アウトオブサービス（ＯｏＳ）状態のときにサービスの連続的なスキャンが失敗するのを抑制する方法または動作のシーケンス３００が示されている。ブロック３０２で、モバイルデバイスはＯｏＳ状態に入る。モバイルデバイスは、現状の間隔でサービスをスキャンする（ブロック３０４）。連続的なスキャンに関するしきい値（たとえば、時間、試行数など）を超えた後（ブロック３０６）、再試行間隔を広げる（ブロック３０８）。広げられた期間は、スキャンが再びトリガされるまでの不定の期間を含んでよい（ブロック３１０）。たとえば、ユーザインターフェース上に表示を与えることができる（ブロック３１２）。スキャンを更新するユーザ入力を検出する（ブロック３１４）。検出された場合、スキャンがブロック３０４で、場合によっては初期デフォルト間隔で再開する。この代わりにあるいはこれに加えて、状況の変化によって、スキャン同士の間隔を短くするかあるいはスキャンをトリガすることができる（ブロック３１６）。たとえば、モバイルデバイスは、ユーザのそばに置かれていないことを検出する（ブロック３１８）。他の場合には、モバイルデバイスは、動きまたは他の種類の相互作用（たとえば、無関係のユーザインターフェース入力）を検出する（ブロック３２０）。上記の代わりにあるいは上記に加えて、モバイルデバイスは、サービスを取得できる可能性の変化を検出することができる（ブロック３２２）。たとえば、モバイルデバイスは、受信領域内である可能性が低いかあるいはその可能性が高いＧＰＳ位置を判定することができる（ブロック３２４）。モバイルデバイスは特殊なＤＯパイロットを検出することができる（ブロック３２６）。モバイルデバイスは、サービスを検出できる可能性をモバイルデバイスに通知する無線周波数（ＲＦ）マッチング（たとえば、Ｗｉ−Ｆｉパターン）を実行することができる。
【０１０３】
図４Ａ〜４Ｃには、複数無線ＭＭＳＳ動作に関する方法または動作のシーケンス４００が示されている。特に、各態様は、Ｅ−ＵＴＲＡからｃｄｍａ２０００へのリダイレクション(redirection)機能に対処する。ユーザ機器（ＵＥ）の動作について、ＬＴＥ＋１ｘシステムとＨＲＰＤ＋１Ｘシステムに同時にキャンプオンできるようにする３ＧＰＰシステムおよび３ＧＰＰ２システムを見つける際のＳＶＬＴＥ動作とともにＬＴＥマルチモードデバイスに関して説明する。
【０１０４】
特に図４Ａを参照すると分かるように、独立のＲＦチェーン（すなわち、１Ｘモデム−１ＸＭ）において１Ｘをサポートし、第２のＲＦチェーンでＬＴＥ、ＵＭＴＳ、ＧＳＭ、およびＨＲＰＤ（マルチモードモデム−ＭＭＭ）をサポートする（ブロック４０２）。１ＸＭにＰＲＬがプロビジョニングされる。特に、ＰＲＬをスマートカード上に記憶する（ブロック４０４）。ＭＭＭにＰＲＬ、ＰＬＭＮ  ＤＢ、およびＭＭＳＳ関連データベースをプロビジョニングする。特に、これらのデータ構造をスマートカード上に記憶する（ブロック４０６）。１ＸＭのＰＲＬとＭＭＭのＰＲＬは同一であり、デバイスＯＴＡ更新時には、ＰＲＬの単一のコピーのみをデバイスに転送する（ブロック４０８）。
【０１０５】
デバイス（すなわち、ＵＥ）に初めて電源を投入する（ブロック４１０）。デバイスは、利用可能なシステムに対して１ＸＭとＭＭＭの両方にスキャンさせる（ブロック４１２）。１ＸＭは、ＯＯＳを宣言する場合、このことを示す情報をＭＭＭに供給する（ブロック４１４）。１ＸＭが、ＭＭＭの前に利用可能なシステムを見つけた場合、ＵＥはこの情報を使用して地理的位置（ＧＥＯ）を判定する（ブロック４１８）。したがって、ＭＭＳＳデータベース内のＭＳＰＬエントリの判定は、そのＭＳＰＬによって示されるエントリに基づいてスキャンの範囲を狭くすることによって支援される（ブロック４２０）。
【０１０６】
ＭＭＭが３ＧＰＰシステムを見つけられない場合、ＭＭＭは、１ＸＭステータスにかかわらず、ＨＲＰＤシステムが利用可能である場合にはＨＲＰＤシステムにキャンプオンするＨＩＣＰＳ手順に従う（ブロック４２２）。
【０１０７】
引き続き図４Ｂを参照すると分かるように、１ＸＭが１Ｘシステムを見つけたことを報告した場合、ＵＥは、ＣＤＧ＃１４３に定義されている手順に基づいて、見つかった１ＸシステムとアソシエートされたＨＲＰＤシステムに接続する（ブロック４２４）。当業者には、ＣＤＧ「Ｒｅｃｏｍｍｅｎｄｅｄ  Ｓｙｓｔｅｍ  Ｓｅｌｅｃｔｉｏｎ  Ｒｅｑｕｉｒｅｍｅｎｔｓ  ｆｏｒ  １Ｘ  ａｎｄ  １ｘＥｖ−ＤＯ−Ｃａｐａｂｌｅ  Ｔｅｒｍｉｎａｌｓ」、ＣＤＧ  Ｄｏｃ＃１４３、ｖ１．０、２００７年３月１５日を参照したときにこのことが認識されよう。
【０１０８】
１ＸＭが１Ｘシステムを見つけたことを報告した場合、ＵＥは、３ＧＰＰシステムの優先順位が、ＭＭＳＳごとに見つかった１Ｘシステムの優先順位以上であるときには、３ＧＰＰシステムに接続し、パケット呼をサポートすることができる（ブロック４２６）。
【０１０９】
優先順位が１Ｘシステム以上である３ＧＰＰシステムまたはアソシエートされたＨＲＰＤシステムが見つからない場合、ＵＥは１ＸＭを介したパケット呼をサポートする（ブロック４２８）。
【０１１０】
ＵＥは、ＭＭＭによって示されるＭＭＭにおけるキャンプオンされている３ＧＰＰシステム、および見つかった１Ｘシステムの相対的な優先順位とは無関係に見つかった１Ｘシステムにキャンプオンする（ブロック４３０）。
【０１１１】
デバイスは以後の電源投入を実行する（ブロック４３２）。
【０１１２】
より良いシステムを再選択できるように１ＸＭおよびＭＭＭに関するＭｏｓｔ  Ｒｅｃｅｎｔｌｙ  Ｕｓｅｄ（ＭＲＵ）リストを独立に管理する（ブロック４３４）
１ＸＭは、ベターシステム再選択（ＢＳＲ）手順を実行し、より好ましい１Ｘシステムを探す（ブロック４３６）。ＵＥがキャンプオンしている１Ｘシステムが変わったときには、新しい１Ｘシステム情報をＭＭＭに供給する（ブロック４３８）。
【０１１３】
ＭＭＭは、３ＧＰＰ手順ごとにＨＰＰＬＭＮ（Ｈｉｇｈｅｒ  Ｐｒｉｏｒｉｔｙ  ＰＬＭＮ探索期間）スキャンを実行し、より好ましい３ＧＰＰシステムを探す（ブロック４４０）。
【０１１４】
引き続き図４Ｃを参照すると分かるように、ＭＭＭはＢＳＲ手順を実行し、ＭＭＳＳ手順ごとにＬＴＥシステムおよびＨＲＰＤシステム全体にわたってより好ましいシステムを探す（ブロック４４２）。ＭＭＳＳ  ＢＳＲに関する１Ｘ優先順位を無視し、１ＸＭによって判定されたより好ましいシステムを１Ｘシステムキャンプオンに使用する（ブロック４４４）。
【０１１５】
ＨＲＰＤネットワークにキャンプオンしている間にＢＳＲがより好ましいＬＴＥネットワークを探す場合は、ＨＲＰＤに関してＯＯＳを宣言する（ブロック４４６）。より好ましいＬＴＥシステムが見つからない場合、ＵＥはシステム選択手順を実行し、それによって、ＭＲＵを使用して、以前にキャンプオンされたＨＲＰＤシステムを見つける（ブロック４４８）。ＵＥは、取得されたシステムに基づく無線／パケットセッションコンテクストを保持する（ブロック４５０）。
【０１１６】
ＭＭＭがＤＯシステムにキャンプオンされた場合、ＰＲＬに基づいてＨＲＰＤ  ＢＳＲを実行する（ブロック４５２）。
【０１１７】
１ＸＭにおいて１ｘシステムが取得された場合、ＭＭＭは、同じアソシエーションタグ内のより適切なＨＲＰＤへの移動を試みる（ブロック４５４）。
【０１１８】
１ＸＭにおいて１ｘシステムが取得されない場合、ＭＭＭは同じＧＥＯ内のより適切なＨＲＰＤシステムへの移動を試みる（ブロック４５６）。
【０１１９】
デバイスアウトオブサービス（ＯｏＳ）動作を確保することができる（ブロック４５８）。
【０１２０】
１ＸＭおよびＭＭＭは、個々のモデムのＯｏＳ手順に従うことができる（ブロック４６０）。
【０１２１】
１ＸＭにおいて１ｘＲＴＴシステムが取得された場合、取得されたシステムの知識を使用してＭＭＭにおけるＯｏＳスキャンリストを向上させることができる（ブロック４６２）。
【０１２２】
１ＸＭに、ＣＤＧ＃１４３によって規定されているサイレントリダイヤル手順に従わせることによって、音声呼サイレントリダイヤルを実行することもできる（ブロック４６４）。
【０１２３】
ＭＭＭ用のパケット呼サイレントリダイヤルは、１Ｘシステムを探す場合を除いてＬＴＥマルチモードデバイスについて規定された手順に従うことができる。ＵＥは、サイレントリダイヤル機能のためにＭＭＭおよび１Ｘから移行することはない（ブロック４６６）。
【０１２４】
引き続き図４Ｄを参照すると分かるように、ＬＴＥから（ｅ）ＨＲＰＤへのリダイレクションまたはＬＴＥから（ｅ）ＨＲＰＤへの再選択／ＢＳＲの後で、１ＸＭにおいて取得された１ｘシステムと新しいＤＯがアソシエートしていない場合はアソシエーションタグを無視する。ＣＤＧ＃１４３手順に従って、アソシエートされたＨＲＰＤシステムに移動する（ブロック４６８）。
【０１２５】
ＵＥが、ＭＭＭにおいて取得されたシステムよりも好ましい１ｘＲＴＴシステムにキャンプオンされたときは、１ＸＭを介してパケットセッションをサポートすることができる。ＭＭＭは、１ＸＭにおいて現在取得されている１ｘＲＴＴシステム以上に好ましい（ｅ）ＨＲＰＤシステムおよびＬＴＥシステムを引き続き探す（ブロック４７０）。
【０１２６】
例示的な態様では、各実装は、複数のＭＭＳＳ方式のうちの１つを選択する手段を実現することができる。このために、スマートカード（ＵＩＣＣ、Ｒ−ＵＩＭ、および／またはＳＩＭ）内の、既存のＥＦに追加される新しいエレメンタリフィールド（ＥＦ）は、様々なＭＭＳＳ方式をリスト表示し、どれが割り付けられているかあるいはアクティブ化されているかを示すことができる。
【０１２７】
他の態様では、この情報をネットワークから移動局（ＭＳ）に伝達する（たとえば、３ＧＰＰ２  ＯＴＡＳＰにおける）新しい無線（ＯＴＡ）メッセージを定義することができる。このＯＴＡメッセージは、どの地理的領域でどのＭＭＳＳ方式を使用すべきか（たとえば、ヨーロッパのある国々ではＭＭＳＳ−３ＧＰＰ  ＰＬＭＮベースの手法を使用する）を示すロケーション情報を有してもよい。
【０１２８】
ＭＭＳＳ−３ＧＰＰ２の場合、スマートカード（たとえば、Ｒ−ＵＩＭ、ＣＳＩＭ／ＳＩＭ、またはＵＩＣＣ）内の新しいＥＦが、ＭＳは３ＧＰＰ２−ＭＭＳＳを使用できるかどうかあるいは３ＧＰＰ２−ＭＭＳＳを使用すべきかどうかを示す。
【０１２９】
図５において、ＭＭＳＳ選択に関するＥＦ定義例５００（ＥＦMMSS_Selection）は、マルチモードシステム選択システムがアクティブ化されているかどうかを示すことができる。このコンテントは少なくとも１バイトを含んでよい。さらにバイトを含めてもよい。
【０１３０】
図６には、図５のＥＦ用の例示的な制御構造６００が示されている。３ＧＰＰ  ＰＬＭＮベースのＭＭＳＳ無効化についてのｂ２＝０／１のような他のフラグを追加してもよい。
【０１３１】
本イノベイションは、様々なエアインターフェース技術／アクセス技術の各々を選択（有効化／無効化）する手段を実現することができる。
【０１３２】
まず、事業者によってサポートされる各エアインターフェースに、ＡＩが非アクティブ化されているかそれともアクティブ化されているか、あるいはＡＩを基本的にＭＭＳＳ方式から抽出すべきであることを示すＭＳにおけるフラグをプロビジョニングすることができる。ＡＩは、（ａ）特定のＡＩ（たとえば、ＧＳＭまたはＨＲＰＤ）、（ｂ）より広範囲の規格に基づくＡＩ（たとえば、３ＧＰＰ  ＡＩ、３ＧＰＰ２  ＡＩ、ＷｉＭＡＸ  ＡＩ）またはＷｉ−Ｆｉ、Ｂｌｕｅｔｏｏｔｈ（登録商標）やその他のような他のＡＩを指すことができる。
【０１３３】
第２に、この情報は、ロケーションベースの情報であってもよい。（ａ）あるＡＩが存在しないことが分かっているある地理的領域では、ＭＳは、これらのＡＩがこれらの領域で非アクティブ化されるようにプロビジョニングされてよい。（ｂ）たとえば、ハンドセットが３ＧＰＰしか有さないヨーロッパのある国にある場合、すべての３ＧＰＰ２無線ＡＩを非アクティブ化してよい。（ｃ）これによって電池電力が節約され、システム選択性能を向上させることができる（たとえば、スキャン時間が短縮される）。
【０１３４】
第３に、スマートカード（たとえば、ＣＳＩＭ、Ｒ−ＵＩＭ、およびＶＳＩＭ）上に新しいＭＭＳＳ  ＥＦ（エレメンタリファイル）を定義することができる。ＭＭＳＳパラメータのバイナリ形式表現では、新たに導入されたＥＦはＯＴＡＳＰ  ＭＭＳＳ要求／応答メッセージの場合と同じデータ構造を使用する。
【０１３５】
図７では、サービスｎ４２が割り付けられている場合、このＥＦ（ＥＦMMSSModeSettings）７００が存在してよい。このＥＦはＭＭＳＳモード設定を含む。
【０１３６】
図８では、サービスｎ４２が割り付けられている場合、ＭＭＳＳロケーションアソシエーテッド優先順位リスト（ＥＦMLPL）用のＥＦ８００が存在してよい。
【０１３７】
５．２．１０８ＥＦMSPL（ＭＭＳＳシステム優先順位リスト）
図９では、サービスｎ４２が割り付けられている場合、このＥＦ９００はＭＭＳＳシステム優先順位リストを含んでよい。
【０１３８】
図１０では、サービスｎ４２が割り付けられている場合、このＥＦ（ＥＦMMSSWLAN）１０００はＭＭＳＳ  ＷＬＡＮ構成を含んでよい。
【０１３９】
スマートカード上で新しいＭＭＳＳコマンドを定義することに関して、３ＧＰＰ２  Ｃ．Ｓ００６５  ＣＳＩＭ仕様では、以下の新しいテキストが提案されている。同様の定義がＲ−ＵＩＭ仕様およびＶＳＩＭ仕様にも当てはまる。
【０１４０】
以下のコマンド定義が、３ＧＰＰ２  Ｃ．Ｓ００６５に定義されている既存のＣＳＩＭコマンドを拡張して新しいＭＭＳＳコマンドをサポートし、Ｃ．Ｓ００２３における定義を複製せずにＣ．Ｓ００２３におけるこれらのＣ．Ｓ００６５定義を参照する手法に基づく定義であることに留意されたい。
【０１４１】
１つの代替手法として、３ＧＰＰ２  Ｃ．Ｓ００２３  Ｒ−ＵＩＭ仕様における新しい同様のコマンドを定義し、Ｃ．Ｓ００６５における定義を複製せずにＣ．Ｓ００６５におけるこれらのＣ．Ｓ００２３定義を参照する手法がある。
【０１４２】
ＯＴＡＳＰ／ＯＴＡＰＡ関連コマンドに関して、ジェネリック構成要求は以下の機能説明を有してよい。このコマンドは、いくつかの「構成要求(configuration request)」機能、すなわち、［７］に規定されている、構成要求、ＳＳＰＲ構成要求、ＰＵＺＬ構成要求、３ＧＰＤ構成要求、構成要求／応答に対応するＭＭＳ構成要求およびシステムタグ構成要求、ＳＳＰＲ構成要求／応答、ＰＵＺＬ構成要求／応答、３ＧＰＤ構成要求／応答メッセージ、ＭＭＳ構成要求／応答、およびシステムタグ構成要求／応答を実行する。
【０１４３】
これらの「構成要求」機能はＰ２値によって区別される。
【０１４４】
コマンドパラメータおよびデータは以下の通りである
【表１】
0005378596.tif 000002
【表２】
0005378596.tif 000003
【０１４５】
コマンドパラメータ／データ、入力パラメータ、および応答パラメータ／データは以下のように符号化される。コマンドパラメータ／データは以下の通りである。
【表３】
0005378596.tif 000004
【０１４６】
このコマンドは、４．５．１．２５節の［７］に記載されているように、単一のデータブロックのＭＭＳＳ構成詳細を要求し、「ＭＭＳＳ構成要求メッセージ」のサブセットを形成する。
【０１４７】
応答パラメータ／データは以下の通りである。
【表４】
0005378596.tif 000005
【０１４８】
この応答は、３．５．１．２５節の［７］に記載されているように、単一のデータブロックのＭＭＳＳ構成詳細を示し、「ＭＭＳＳ構成応答メッセージ」のサブセットを形成する。
【０１４９】
ジェネリックダウンロード要求に関して、以下の機能説明を検討する。このコマンドは、いくつかの「ダウンロード要求」機能、すなわち、［７］に規定されている、ダウンロード要求、ＳＳＰＲダウンロード要求、ＰＵＺＬダウンロード要求、３ＧＰＤダウンロード要求、ダウンロード要求／応答に対応するＭＭＳダウンロード要求およびシステムタグダウンロード要求、ＳＳＰＲダウンロード要求／応答、ＰＵＺＬダウンロード要求／応答および３ＧＰＤ構成要求／応答メッセージ、ＭＭＳ構成要求／応答およびシステムタグ構成要求／応答を実行する。
【０１５０】
これらの「ダウンロード要求」機能はＰ２値によって区別される。
【０１５１】
コマンドパラメータおよびデータは以下の通りである。
【表５】
0005378596.tif 000006
【表６】
0005378596.tif 000007
【０１５２】
ＭＭＳＳダウンロード要求コマンドデータ（Ｐ２＝「０６」）
コマンドパラメータ／データ、入力パラメータ、および応答パラメータ／データは以下のように符号化される。
【０１５３】
コマンドパラメータ／データは以下の通りである。
【表７】
0005378596.tif 000008
【０１５４】
このコマンドは、単一のデータブロックのＭＭＳＳダウンロードを要求し、「ＭＭＳＳダウンロード要求メッセージ」のサブセットを形成する。Ｌｃ＝パラメータデータの長さ＋２に留意されたい。
【０１５５】
応答パラメータ／データは以下の通りである。
【表８】
0005378596.tif 000009
【０１５６】
この応答は、単一のデータブロックに関し、「ＭＭＳＳダウンロード応答メッセージ」のサブセットを形成する。
【０１５７】
ＭＭＳＳの新しいサービス番号を定義することができる。
【０１５８】
ＣＳＩＭ仕様、Ｒ−ＵＩＭ仕様、およびＶＳＩＭ仕様は、以下にＥＦCST（ＣＳＩＭサービステーブル）に関して示すように、本イノベイションをサポートする定義を反映することができる。このＥＦは、どのサービスが利用可能であるかを示す。あるサービスがＣＳＩＭにおいて利用可能と示されていない場合、モバイル機器はこのサービスを選択しない。
【表９】
0005378596.tif 000010
【０１５９】
ＭＭＳＳパラメータのレコードベースのプロビジョニングおよびストレージを実施することができる。ＭＭＳＳレコードの新しいＯＴＡＳＰコマンドを考える。既存のＯＴＡＳＰコマンドは、すべてのＭＬＰＬパラメータおよびＭＳＰＬパラメータを全体的に管理する。ＭＭＳＳのＭＬＰＬ情報およびＭＳＰＬ情報における個々のフィールドおよびレコードを管理するために、３ＧＰＰ２  Ｃ．Ｓ００１６  ＯＴＡＳＰ仕様に新しいパラメータブロックを追加してこのような特定のＭＭＳＳレコードの挿入、更新、および削除を行うことが提案されている。このようなパラメータブロックは、ＭＭＳＳダウンロード要求メッセージおよび／またはＭＭＳＳ構成要求メッセージに使用される。
【０１６０】
ＭＬＰＬ挿入：新しいレコードを挿入する。
【０１６１】
ＭＬＰＬ更新：レコードを更新する。
【０１６２】
ＭＬＰＬ削除：レコードを削除する。
【０１６３】
ＭＬＰＬ読み取り：レコードを読み取る。
【０１６４】
ＭＳＰＬ挿入：新しいレコードを挿入する。
【０１６５】
ＭＳＰＬ更新：レコードを更新する。
【０１６６】
ＭＳＰＬ削除：レコードを削除する。
【０１６７】
ＭＳＰＬ読み取り：レコードを読み取る。
【０１６８】
これらのレコードを管理する際、各レコードは、これらのレコード内のインデックス番号によってインデックス付けされる。これらはＣ．Ｓ００１６にはまだないので、この新しいインデックス番号も各レコードに追加すべきである。
【０１６９】
ＭＭＳＳレコードのストレージに関して、提案されているＭＭＳＳ  ＥＦはバイナリ形式であってよい。この場合、ＭＬＰＬレコードおよびＭＳＰＬレコードは線形固定タイプのＥＦ内のレコードとして定義される。
【０１７０】
他の場合には、これらのレコードは透過タイプのＥＦ内のＴＬＶオブジェクトとして定義される。
【０１７１】
ＭＬＰＬとＭＳＰＬはどちらもあるヘッダ情報（たとえば、ＭＬＰＬサイズおよびＩＤまたはＭＳＰＬサイズおよびＩＤ）を有するので、別個のＥＦ（たとえば、ＥＦMLPLheaderおよびＥＦMSPLheader）として記憶することができる。
【０１７２】
ＭＭＳＳレコード用のスマートカードコマンドを設けることができる。スマートカードにおける提案されているＭＭＳＳコマンドは、ＭＬＰＬパラメータブロックおよびＭＳＰＬパラメータブロック全体を管理する。これらのブロックを個々のレコードに関して管理する追加的なスマートカードコマンドを導入することが提案されている。このようなコマンドは、ＯＴＡＳＰにおけるレコードベースのコマンドに１対１で対応する。たとえば、以下のスマートカードコマンドが定義されている。
【０１７３】
ＭＬＰＬ挿入：新しいレコードを挿入する。
【０１７４】
ＭＬＰＬ更新：レコードを更新する。
【０１７５】
ＭＬＰＬ削除：レコードを削除する。
【０１７６】
ＭＬＰＬ読み取り：レコードを読み取る。
【０１７７】
ＭＳＰＬ挿入：新しいレコードを挿入する。
【０１７８】
ＭＳＰＬ更新：レコードを更新する。
【０１７９】
ＭＳＰＬ削除：レコードを削除する。
【０１８０】
ＭＳＰＬ読み取り：レコードを読み取る。
【０１８１】
ＬＴＥおよびＩＯＴＡ−ＤＭ用のＭＭＳＳ拡張機能−−現在、ＭＭＳＳパラメータはＬＴＥを対象としていない。ＧＳＭ／ＵＭＴＳシステム情報と同様のＬＴＥシステム情報をＭＭＳＳパラメータに追加することができる。
【０１８２】
たとえば、
ＭＳＰＬにおけるＳＹＳ＿ＴＹＰＥに新しい値：ＬＴＥ「００００００１１」を追加する。
【０１８３】
ＡＩＲ＿ＩＮＴ＿ＴＹＰＥ用の新しいビット：「ＬＴＥサポート可能(LTE Supported)」を追加する。
【０１８４】
ＬＴＥシステムロケーションタグを定義する。
【０１８５】
ＭＭＳＳに関するＯＴＡＳＰ拡張機能および追加要素は、ＩＯＴＡ−ＤＭに適用することができる。ＩＯＴＡ−ＤＭは、ＯＭＡのデバイス管理フレームワークを使用するＩＰベースの無線プロビジョニングをサポートするように３ＧＰＰ２  Ｃ．Ｓ００６４に定義されている。同様のＯＴＡＳＰコマンドおよびデータブロック定義を、ＩＯＴＡ−ＤＭ定義に追加することができる。
【０１８６】
たとえば、
ＭＭＳＳに関する新しい管理されるオブジェクト(Managed Object)を追加する。
【０１８７】
この新しい管理されるオブジェクト内のパラメータをＯＴＡＳＰからのＭＭＳＳパラメータ（たとえば、モード設定、ＭＬＰＬヘッダおよびレコード、ＭＳＰＬヘッダおよびレコード．．．）を含むように定義する。
【０１８８】
新しいジェネリックサービステーブルを使用して、スマートカード上の共通のサービスを管理する方式を追加することができる。
【０１８９】
ＣＳＩＭ／ＵＳＩＭを含むＵＩＣＣまたはＲ−ＵＩＭ／ＳＩＭ上のＭＦ（マスタファイル）の下で、ＥＦGST（ジェネリックサービステーブル）と呼ばれる新しいＥＦまたはこの趣旨の何らかのファイルを作成する。このテーブルでは、以下のサービスを、スマートカード上で個別にアクティブ化／非アクティブ化できるように定義することができる。
【０１９０】
−ＡＤＮ（短縮ダイヤル番号）、
−ＦＤＮ（固定ダイヤル番号）
−ＬＤＮ（前回のダイヤル番号）
−ＳＤＮ（サービスダイヤル番号）
−マルチメディアストレージ
−画像
−ＭＭＳＳ（すなわち、定義および標準化中の新しいサービス）。
【０１９１】
このテーブル内でサービスがアクティブ化されると、ＣＳＩＭとＵＳＩＭの両方（およびＲ−ＵＩＭとＳＩＭの両方）がこのサービスにアクセス可能になる。サービスが非アクティブ化されると、ＣＳＩＭとＵＳＩＭの両者はこのサービスを利用できなくなる。特定のジェネリックサービスの対象となるＥＦおよびコマンドは、ＭＦの下に存在し、ＣＳＩＭ  ＡＤＦの下にもＵＳＩＭ  ＡＤＦの下にも存在しない（ＤＦCDMAの下にもＤＦGSMの下にも存在しない）。
【０１９２】
一態様では、ＥＦ−ＧＳＴの目的は、ＵＳＩＭおよびＣＳＩＭ（ならびにＳＩＭおよびＲ−ＵＩＭ）に「含まれず」あるいは場合によってはこれらに共通するサービスを管理することであってよい。たとえば、このＥＦ  ＧＳＴは、ＵＩＣＣ上でＭＭＳＳが利用可能であるかどうかを示すことができる。
【０１９３】
すでにＣＳＩＭサービステーブルとＵＳＩＭサービステーブルの両方に存在するマルチメディアストレージのような既存のサービスの場合、ジェネリックサービステーブル内のマルチメディアストレージは、ＣＳＩＭ（またはＲ−ＵＩＭ）サービステーブルおよびＵＳＩＭ（またはＳＩＭ）サービステーブル内の対応する番号に優先する（すなわち、後者の２つは無視される）。
【０１９４】
ジェネリックサービスは、アクティブ化されないとき、それに関連するＥＦおよびコマンドはカードによってサポートされず、したがって、これらのＥＦおよびコマンド処理論理にメモリ空間を割り付ける必要はない。
【０１９５】
適用可能な標準文書：この新しいＥＦGSTは、ＭＦ（マスタファイル）の下で、Ｃ．Ｓ００７４、すなわち、ＣＳＩＭ／ＵＳＩＭベースのスマートカードに関する３ＧＰＰ２  ＵＩＣＣ仕様に定義することができる。
【０１９６】
この新しいＥＦGSTは、ＭＦ（マスタファイル）の下で、Ｃ．Ｓ００２３、すなわち、Ｒ−ＵＩＭ／ＳＩＭに関する３ＧＰＰ２  Ｒ−ＵＩＭ仕様に定義することができる。
【０１９７】
ＣＤＭＡ  ＯＴＡＳＰシステムを介してスマートカードに対するサービスを管理する方式を定義する。
【０１９８】
ネットワークがＲ−ＵＩＭ、ＣＳＩＭ、ＳＩＭ、ＵＳＩＭ、ＵＩＣＣ（ジェネリックサービス用）、Ｒ−ＵＩＭ／ＳＩＭ（ジェネリックサービス用）、ＩＳＩＭなどに対するサービスをアクティブ化／非アクティブ化できるようにするＯＴＡＳＰコマンド「サービス変更要求メッセージ」を作成することができる。
【０１９９】
順方向リンクメッセージは以下の新しいエントリを有してよい。
【０２００】
サービス変更要求メッセージ「０００１１０００」（利用可能な次の値）
【表１０】
0005378596.tif 000011
【０２０１】
ネットワークがＲ−ＵＩＭ／ＣＳＩＭに対するサービスの現在の値を問い合わせるための新しいＯＴＡＳＰコマンド「サービス構成要求」も作成する。
【０２０２】
Ｃ．Ｓ００１６において、表４．５−１順方向リンクメッセージは以下の新しいエントリを有する。
【０２０３】
サービス構成要求メッセージ「０００１１００１」（利用可能な次の値）４．５．１．２ｙ
メッセージフォーマットを記述する新しい節４．５．１．２ｙサービス構成要求メッセージを追加する。
【表１１】
0005378596.tif 000012
【０２０４】
次に、逆方向リンクメッセージにおける新しいコマンドを定義する必要がある。
【０２０５】
表３．５−１逆方向リンクメッセージにおいて、以下の新しいメッセージを追加する。
【０２０６】
サービス変更応答メッセージ「０００１１０００」（利用可能な次の値）３．５．１．２ｘ
サービス構成応答メッセージ「０００１１００１」（利用可能な次の値）
【表１２】
0005378596.tif 000013
【表１３】
0005378596.tif 000014
【０２０７】
ＣＳＩＭ仕様およびＲ−ＵＩＭ仕様では、ＯＴＡＳＰに関する以下のＣＳＩＭ／Ｒ−ＵＩＭコマンドを追加してネットワークからＲ−ＵＩＭへのジェネリックサービス管理をサポートすることができる。
【０２０８】
３ＧＰＰ２  Ｃ．Ｓ００６５  ＣＳＩＭ仕様では、以下を実施することができる。同様の定義がＲ−ＵＩＭ仕様およびＶＳＩＭ仕様にも当てはまる。
【０２０９】
ＯＴＡＳＰ／ＯＴＡＰＡ関連コマンドの場合、ジェネリック構成要求は以下の機能説明を有してよい。このコマンドは、いくつかの「構成要求」機能、すなわち、構成要求、ＳＳＰＲ構成要求、ＰＵＺＬ構成要求、３ＧＰＤ構成要求、構成要求／応答に対応するＭＭＳ構成要求およびシステムタグ構成要求、ＳＳＰＲ構成要求／応答、ＰＵＺＬ構成要求／応答、３ＧＰＤ構成要求／応答メッセージ、ＭＭＳ構成要求／応答およびシステムタグ構成要求／応答を有してよい。
【０２１０】
これらの「構成要求」機能は、以下のコマンドパラメータおよびデータによって示されているようにＰ２値によって区別される。
【表１４】
0005378596.tif 000015
【表１５】
0005378596.tif 000016
【０２１１】
コマンドパラメータ／データ、入力パラメータ、および応答パラメータ／データは以下のように符号化される。
【表１６】
0005378596.tif 000017
【０２１２】
このコマンドは、単一のデータブロックのサービス構成詳細を要求し、本開示の「サービス構成要求メッセージ」のサブセットを形成する。応答パラメータ／データは以下の通りである。
【表１７】
0005378596.tif 000018
【０２１３】
注意：Ｌｅ＝パラメータデータの長さ＋３
この応答は、単一のデータブロックのサービス構成詳細を示し、「サービス構成応答メッセージ」のサブセットを形成する。
【０２１４】
ジェネリックダウンロード要求に関して、このコマンドは、いくつかの「ダウンロード要求」機能、すなわち、［７］に規定されている、ダウンロード要求、ＳＳＰＲダウンロード要求、ＰＵＺＬダウンロード要求、３ＧＰＤダウンロード要求、ダウンロード要求／応答に対応するＭＭＳダウンロード要求およびシステムタグダウンロード要求、ＳＳＰＲダウンロード要求／応答、ＰＵＺＬダウンロード要求／応答および３ＧＰＤ構成要求／応答メッセージ、ＭＭＳ構成要求／応答およびシステムタグ構成要求／応答を実行する。
【０２１５】
これらの「ダウンロード要求」機能はＰ２値によって区別される。
【０２１６】
コマンドパラメータおよびデータは以下の通りである。
【表１８】
0005378596.tif 000019
【０２１７】
Ｐ２の符号化
【表１９】
0005378596.tif 000020
【０２１８】
サービス変更要求コマンドデータ（Ｐ２＝「０６」）
コマンドパラメータ／データ、入力パラメータ、および応答パラメータ／データは以下のように符号化される。コマンドパラメータ／データは以下の通りである。
【表２０】
0005378596.tif 000021
【０２１９】
このコマンドは、この発明文献の「２．１  Ａｄｄｉｔｉｏｎｓ  ｔｏ  Ｃ．Ｓ００１６（Ｃ．Ｓ００１６への追加事項）」に記載されているように、単一のデータブロックのサービスダウンロードを要求し、「サービス変更要求メッセージ」のサブセットを形成する。
【０２２０】
＊Ｌｃ＝パラメータデータの長さ＋２に留意されたい。
【０２２１】
応答パラメータ／データは以下の通りである。
【表２１】
0005378596.tif 000022
【０２２２】
この応答は、単一のデータブロックに関し、「サービス変更応答メッセージ」のサブセットを形成する。
【０２２３】
本開示によって、イノベイティブな機能により、モバイルデバイスが、事業者の優先事項に基づいてｃｄｍａ２０００システムおよび非ｃｄｍａ２０００システムを効率的に選択できるようになり、このような優先事項をスマートカードまたはデバイスのメモリ（非揮発性メモリまたはＮＶとも呼ばれる）に記憶できることを理解されたい。ＭＭＳＳパラメータおよびサービスのストレージおよび管理によって、加入者は、ＭＭＳＳパラメータを自分のスマートカード上に維持しつつ自分のＩＤを一方のデバイスから他方のデバイスに伝達／転送することができる。ＭＭＳＳパラメータのレコードベースのプロビジョニングおよびストレージによって、これらのパラメータの融通性に富んだ管理が可能になる。ＯＴＡＳＰ拡張機能によって、ネットワークは、ハンドセットまたはＲ−ＵＩＭ／ＣＳＩＭに対するサービスを動的に有効化／無効化することができる。新しいジェネリックサービステーブルは、Ｒ−ＵＩＭ／ＳＩＭとＵＩＣＣ（ＣＳＩＭ／ＵＳＩＭ）の両方に適用され、２つの場所における重複したサービステーブルエントリを回避し、非同調問題を解決する。
【０２２４】
図１１を参照すると分かるように、請求された主題の様々な態様を実施する例示的なコンピューティング環境１１００はコンピュータ１１１２を含む。コンピュータ１１１２は、処理ユニット１１１４と、システムメモリ１１１６と、システムバス１１１８とを含む。システムバス１１１８は、システムメモリ１１１６および処理ユニット１１１４を含むがそれらに限らないシステムコンポーネント同士を結合する。処理ユニット１１１４は、様々な利用可能なプロセッサのうちのいずれかであってよい。二重マイクロプロセッサアーキテクチャおよび他のマルチプロセッサアーキテクチャを処理ユニット１１１４として使用してもよい。
【０２２５】
システムバス１１１８は、業界標準アーキテクチャ（ＩＳＡ）、マイクロチャネルアーキテクチャ（ＭＳＡ）、拡張ＩＳＡ（ＥＩＳＡ）、Ｉｎｔｅｌｌｉｇｅｎｔ  Ｄｒｉｖｅ  Ｅｌｅｃｔｒｏｎｉｃｓ（ＩＤＥ）、ＶＥＳＡローカルバス（ＶＬＢ）、Ｐｅｒｉｐｈｅｒａｌ  Ｃｏｍｐｏｎｅｎｔ  Ｉｎｔｅｒｃｏｎｎｅｃｔ（ＰＣＩ）、カードバス、Ｕｎｉｖｅｒｓａｌ  Ｓｅｒｉａｌ  Ｂｕｓ（ＵＳＢ）、Ａｄｖａｎｃｅｄ  Ｇｒａｐｈｉｃｓ  Ｐｏｒｔ（ＡＧＰ）、Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎバス（ＰＣＭＣＩＡ）、Ｆｉｒｅｗｉｒｅ（ＩＥＥＥ１１９４）、およびＳｍａｌｌ  Ｃｏｍｐｕｔｅｒ  Ｓｙｓｔｅｍｓ  Ｉｎｔｅｒｆａｃｅ（ＳＣＳＩ）を含むがそれらに限らない様々な利用可能なバスアーキテクチャを使用するメモリバスもしくはメモリコントローラ、周辺バスもしくは外部バス、および／またはローカルバスを含むいくつかの種類のバス構造のいずれかであってよい。
【０２２６】
システムメモリ１１１６は、揮発性メモリ１１２０と非揮発性メモリ１１２２とを含む。起動時などに、コンピュータ１１１２内の要素同士の間で情報を転送する基本ルーチンを含むＢａｓｉｃ  Ｉｎｐｕｔ／Ｏｕｔｐｕｔ  Ｓｙｓｔｅｍ（ＢＩＯＳ）が非揮発性メモリ１１２２に記憶されている。制限としてではなく一例として、非揮発性メモリ１１２２は、読み取り専用メモリ（ＲＯＭ）、Ｐｒｏｇｒａｍｍａｂｌｅ  ＲＯＭ（ＰＲＯＭ）、Ｅｌｅｃｔｒｉｃａｌｌｙ  Ｐｒｏｇｒａｍｍａｂｌｅ  ＲＯＭ（ＥＰＲＯＭ）、Ｅｌｅｃｔｒｉｃａｌｌｙ  Ｅｒａｓａｂｌｅ  Ｐｒｏｇｒａｍｍａｂｌｅ  ＲＯＭ（ＥＥＰＲＯＭ）、またはフラッシュメモリを含んでよい。揮発性メモリ１１２０は、外部キャッシュメモリとして働くランダムアクセスメモリ（ＲＡＭ）を含む。制限としてではなく一例として、ＲＡＭは、スタティックＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、ｅｎｈａｎｃｅｄ  ＳＤＲＡＭ（ＥＳＤＲＡＭ）、Ｓｙｎｃｈｌｉｎｋ  ＤＲＡＭ（ＳＬＤＲＡＭ）、Ｒａｍｂｕｓ  Ｄｉｒｅｃｔ  ＲＡＭ（ＲＤＲＡＭ）、Ｄｉｒｅｃｔ  Ｒａｍｂｕｓ  Ｄｙｎａｍｉｃ  ＲＡＭ（ＤＲＤＲＡＭ）、およびＲａｍｂｕｓ  Ｄｙｎａｍｉｃ  ＲＡＭ（ＲＤＲＡＭ）のような多数の形態で利用可能である。
【０２２７】
コンピュータ１１１２は、取り外し可能／取り外し不能、揮発性／非揮発性コンピュータ記憶媒体も含む。図１１は、たとえば、ディスクストレージ１１２４を示している。ディスクストレージ１１２４は、磁気ディスクドライブ、フロッピディスクドライブ、テープドライブ、Ｊａｚドライブ、Ｚｉｐドライブ、ＬＳ−１００ドライブ、フラッシュメモリカード、またはメモリスティックのようなデバイスを含むがそれらに限らない。また、ディスクストレージ１１２４は、コンパクトディスクＲＯＭデバイス（ＣＤ−ＲＯＭ）、ＣＤ書き込み可能ドライブ（ＣＤ−Ｒドライブ）、ＣＤ書き換え可能ドライブ（ＣＤ−ＲＷドライブ）、またはＤｉｇｉｔａｌ  Ｖｅｒｓａｔｉｌｅ  Ｄｉｓｋ  ＲＯＭ  Ｄｒｉｖｅ（ＤＶＤ−ＲＯＭ）などの光学ディスクドライブを含むがそれらに限らない他の記憶媒体とは別の記憶媒体またはこのような他の記憶媒体と組み合わされた記憶媒体を含んでよい。ディスクストレージデバイス１１２４をシステムバス１１１８に接続するのを容易にするために、通常、インターフェース１１２６のような取り外し可能または取り外し不能なインターフェースが使用される。
【０２２８】
図１１が、ユーザと、適切な動作環境１１００で説明した基本的なコンピュータリソースとの間の仲介として働くソフトウェアを表していることを理解されたい。このようなソフトウェアはオペレーティングシステム１１２８を含む。オペレーティングシステム１１２８は、ディスクストレージ１１２４上に記憶することができ、コンピュータシステム１１１２のリソースを制御し割り付ける働きをする。システムアプリケーション１１３０は、システムメモリ１１１６内またはディスクストレージ１１２４上に記憶されたプログラムモジュール１１３２およびプログラムデータ１１３４を介したオペレーティングシステム１１２８によるリソースの管理を利用する。請求された主題を様々なオペレーティングシステムまたはそれらのオペレーティングシステムの組み合わせによって実現できることを理解されたい。
【０２２９】
ユーザは、１つまたは複数の入力デバイス１１３６を通してコンピュータ１１１２にコマンドまたは情報を入力する。入力デバイス１１３６は、マウス、トラックボール、スタイラス、タッチパッド、キーボード、マイクロフォン、ジョイティック、ゲームパッド、サテライトディッシュ、スキャナ、ＴＶチューナカード、デジタルカメラ、デジタルビデオカメラ、ウェブカメラなどのポインティングデバイスを含むがそれらに限らない。これらの入力デバイスおよびその他の入力デバイスは、システムバス１１１８を通し１つまたは複数のインターフェースポート１１３８を介して処理ユニット１１１４に接続される。１つまたは複数のインターフェースポート１１３８は、たとえば、シリアルポート、パラレルポート、ゲームポート、およびＵｎｉｖｅｒｓａｌ  Ｓｅｒｉａｌ  Ｂｕｓ（ＵＳＢ）を含む。１つまたは複数の出力デバイス１１４０は、１つまたは複数の入力デバイス１１３６と同じ種類のいくつかのポートを使用する。したがって、たとえば、ＵＳＢポートを使用してコンピュータ１１１２に入力を供給し、かつコンピュータ１１１２から出力デバイス１１４０に情報を出力することができる。出力デバイス１１４０には、モニタ、スピーカ、およびプリンタのように、特殊なアダプタを必要とする出力デバイス１１４０があることを示すために、出力アダプタ１１４２が設けられている。出力アダプタ１１４２は、制限ではなく一例として、出力デバイス１１４０とシステムバス１１１８とを接続する手段を構成するビデオカードおよび音声カードを含む。他のデバイスおよび／またはデバイスのシステムが１つまたは複数のリモートコンピュータ１１４４のような入力機能と出力機能の両方を実施することに留意されたい。
【０２３０】
コンピュータ１１１２は、リモートコンピュータ１１４４のような１つまたは複数のリモートコンピュータとの論理接続を使用してネットワーク化環境で動作することができる。１つまたは複数のリモートコンピュータ１１４４は、パーソナルコンピュータ、サーバ、ルータ、ネットワークＰＣ、ワークステーション、マイクロプロセッサベースの電気器具、ピアデバイス、その他の一般的なネットワークノードなどであってよく、通常、コンピュータ１１１２に関して説明した要素のうちの多くまたはすべての要素を含む。説明を簡単にするために、メモリストレージデバイス１１４６のみが１つまたは複数のリモートコンピュータ１１４４と一緒に図示されている。１つまたは複数のリモートコンピュータ１１４４は、ネットワークインターフェース１１４８を通してコンピュータ１１１２に論理的に接続され、次いで、通信接続１１５０を介して物理的に接続されている。ネットワークインターフェース１１４８は、ローカルエリアネットワーク（ＬＡＮ）およびワイドエリアネットワーク（ＷＡＮ）のような有線通信ネットワークおよび／または無線通信ネットワークを包含する。ＬＡＮ技術は、Ｆｉｂｅｒ  Ｄｉｓｔｒｉｂｕｔｅｄ  Ｄａｔａ  Ｉｎｔｅｒｆａｃｅ（ＦＤＤＩ）、Ｃｏｐｐｅｒ  Ｄｉｓｔｒｉｂｕｔｅｄ  Ｄａｔａ  Ｉｎｔｅｒｆａｃｅ（ＣＤＤＩ）、イーサネット（登録商標）、トークンリングなどを含む。ＷＡＮ技術は、ポイントツーポイントリンク、Ｉｎｔｅｇｒａｔｅｄ  Ｓｅｒｖｉｃｅｓ  Ｄｉｇｉｔａｌ  Ｎｅｔｗｏｒｋｓ（ＩＳＤＮ）およびその変形例のような回線交換ネットワーク、パケット交換ネットワーク、およびデジタル加入者線（ＤＳＬ）を含むがそれらに限らない。
【０２３１】
１つまたは複数の通信接続１１５０は、ネットワークインターフェース１１４８をバス１１１８に接続するのに使用されるハードウェア／ソフトウェアを指す。通信接続１１５０はコンピュータ１１１２の内部を明確に例示するのに示されているが、コンピュータ１１１２の外部に配置されてもよい。ネットワークインターフェース１１４８との接続に必要なハードウェア／ソフトウェアは、例示のためにのみ、通常の電話レベルのモデム、ケーブルモデムおよびＤＳＬモデム、ＩＳＤＮアダプタ、ならびにイーサネットカードを含むモデムのような内部技術および外部技術を含む。
【０２３２】
ベース、ノードベース。図１２を参照すると、エアインターフェース／アクセス技術のシステム選択のためにモバイル機器またはスマートカードをプロビジョニングするシステム１２００が示されている。たとえば、システム１２００は、少なくとも部分的にユーザ機器（ＵＥ）内に常駐してよい。システム１２００が、コンピューティングプラットフォーム、プロセッサ、ソフトウェア、またはそれらの組み合わせ（たとえば、ファームウェア）によって実施される機能を表す機能ブロックであってよい機能ブロックを含むように表されていることを理解されたい。システム１２００は、連動して動作することのできる電気的コンポーネントの論理グループ１２０２を含む。たとえば、論理グループ１２０２は、複数の無線アクセス技術から無線アクセス技術を選択するマルチモードシステム選択方式にアクセスする電気的コンポーネントを含んでよい（１２０４）。さらに、論理グループ１２０２は、複数の無線アクセス技術を使用するためのモバイルデバイスの機能制約を判定する電気的コンポーネントを含んでよい（１２０６）。他の場合には、論理グループ１２０２は、マルチモードシステム選択方式および機能制約に従って、選択された無線アクセス技術を使用して無線アクセスネットワークと通信する電気的コンポーネントを含んでよい（１２０８）。また、システム１２００は、電気的コンポーネント１２０４〜１２０８に関連する機能を実行する命令を保持するメモリ１２２０を含んでよい。電気的コンポーネント１２０４〜１２０８は、メモリ１２２０の外部に位置するように示されているが、その１つまたは複数がメモリ１２２０の内部に存在してよいことを理解されたい。
【０２３３】
図１３を参照すると、エアインターフェース／アクセス技術のシステム選択のためにモバイル機器またはスマートカードをプロビジョニングするシステム１３００が示されている。たとえば、システム１３００は、少なくとも部分的にネットワークエンティティ（たとえば、発展型ベースノード）内に常駐することができる。システム１３００が、コンピューティングプラットフォーム、プロセッサ、ソフトウェア、またはそれらの組み合わせ（たとえば、ファームウェア）によって実施される機能を表す機能ブロックであってよい機能ブロックを含むように表されていること理解されたい。システム１３００は、連動して動作することのできる電気的コンポーネントの論理グループ１３０２を含む。たとえば、論理グループ１３０２は、ホスト無線アクセス技術を使用してホスト無線アクセスネットワークからモバイルデバイスにサービスを提供する電気的コンポーネントを含むことができる（１３０４）。さらに、論理グループ１３０２は、複数の無線アクセス技術から無線アクセス技術を選択するマルチモードシステム選択方式を含むデータ構造を修正するコマンドをモバイルデバイスに送信する電気的コンポーネントを含んでよく（１３０６）、この場合、モバイルデバイスは、コマンドに少なくとも部分的に基づいて複数の無線アクセス技術を使用するための機能制約を判定する。また、システム１３００は、電気的コンポーネント１３０４〜１３０６に関連する機能を実行する命令を保持するメモリ１３２０を含んでよい。電気的コンポーネント１３０４〜１３０８は、メモリ１３２０の外部に位置するように示されているが、その１つまたは複数がメモリ１３２０の内部に存在してよいことを理解されたい。
【０２３４】
図１４には、エアインターフェース／アクセス技術のシステム選択のためにモバイル機器またはスマートカードをプロビジョニングする装置１４０２が示されている。複数の無線アクセス技術から無線アクセス技術を選択するマルチモードシステム選択方式にアクセスする手段１４０４が設けられる。複数の無線アクセス技術を使用するためのモバイルデバイスの機能制約を判定する手段１４０６が設けられる。マルチモードシステム選択方式および機能制約に従って、選択された無線アクセス技術を使用して無線アクセスネットワークと通信する手段１４０８が設けられる。
【０２３５】
図１５には、エアインターフェース／アクセス技術のシステム選択のためにモバイル機器またはスマートカードをプロビジョニングする装置１５０２が示されている。ホスト無線アクセス技術を使用してホスト無線アクセスネットワークからモバイルデバイスにサービスを提供する手段１５０４が設けられる。複数の無線アクセス技術から無線アクセス技術を選択するマルチモードシステム選択方式を含むデータ構造を修正するコマンドをモバイルデバイスに送信する手段１５０６が設けられる。この場合、モバイルデバイスは、コマンドに少なくとも部分的に基づいて複数の無線アクセス技術を使用するための機能制約を判定する。
【０２３６】
当業者には、本明細書で説明した実施形態の変形例、修正例、および他の実装例が、請求された開示の趣旨および範囲から逸脱せずに構想されよう。したがって、本開示は、上記の例示的な説明ではなく、以下の特許請求の範囲の趣旨および範囲によって定義されるものである。
以下に本件出願当初の特許請求の範囲を付記する。
［Ｃ１］
エアインターフェース／アクセス技術のシステム選択のためにモバイル機器またはスマートカードをプロビジョニングする方法であって、
複数の無線アクセス技術から無線アクセス技術を選択するマルチモードシステム選択方式にアクセスすることと、
前記複数の無線アクセス技術を使用するためのモバイルデバイスの機能制約を判定することと、
前記マルチモードシステム選択方式および前記機能制約に従って、選択された無線アクセス技術を使用して無線アクセスネットワークと通信することとを備える方法。
［Ｃ２］
前記マルチモードシステム選択方式は、３ＧＰＰエアインターフェースと３ＧＰＰ２エアインターフェースと汎用の好ましいローミングリストの間の優先順位を定める、［Ｃ１］に記載の方法。
［Ｃ３］
前記機能制約を判定することは、モバイル事業者用の前記モバイルデバイスの加入者識別子のプロビジョニングを判定することをさらに備える、［Ｃ１］に記載の方法。
［Ｃ４］
前記加入者識別子のプロビジョニングを判定することは、取り外し可能なユーザ識別モジュール（Ｒ−ＵＩＭ）と、ＣＤＭＡ加入者識別モジュール（ＣＳＩＭ）を含む汎用ＩＣカード（ＵＩＣＣ）と、汎用加入者識別モジュール（ＵＳＩＭ）およびＣＳＩＭを含むＵＩＣＣと、加入者識別モジュール（ＳＩＭ）とから成るグループのうちの１つを検出することをさらに備える、［Ｃ３］に記載の方法。
［Ｃ５］
スマートカードの前記グループの第２のスマートカードのプロビジョニングを判定することと、
前記グループのうちの前記１つおよび前記第２のスマートカードを選択的にアクティブ化することとを備える、［Ｃ４］に記載の方法。
［Ｃ６］
前記機能制約を判定することは、エアインターフェースに関連する前記モバイルデバイスのトランシーバ制限を判定することをさらに備える、［Ｃ１］に記載の方法。
［Ｃ７］
前記トランシーバ制限を判定することは、シングルモードまたはマルチモードを介して通信することをさらに備える、［Ｃ６］に記載の方法。
［Ｃ８］
前記トランシーバ制限および加入者の事業者から受信された構成情報を、前記モバイルデバイスに組み込まれたスマートカード上に記憶することをさらに備える、［Ｃ６］に記載の方法。
［Ｃ９］
前記機能制約を判定することは、ローミングしているかあるいはホームにある前記モバイルデバイスのトランシーバ制限を判定することをさらに備える、［Ｃ６］に記載の方法。
［Ｃ１０］
前記機能制約を判定することは、ＣＤＭＡ２０００エアインターフェースと３ＧＰＰエアインターフェースと３ＧＰＰ２エアインターフェースとＧＳＭエアインターフェースとＷｉＭＡＸエアインターフェースから成るグループのうちの少なくとも１つのエアインターフェース上で通信するための前記モバイルデバイスのトランシーバ制限を判定することをさらに備える、［Ｃ１］に記載の方法。
［Ｃ１１］
前記モバイルデバイスのコンピューティングプラットフォームと、モバイルネットワークへの加入者識別子を含む集積回路カードとのハンドシェークを実行し、前記機能制約を判定することをさらに備える、［Ｃ１０］に記載の方法。
［Ｃ１２］
前記コンピューティングプラットフォーム上に記憶されている第１のマルチモードシステム選択方式にアクセスすることと、前記集積回路カード上に記憶されている第２のマルチモードシステム選択方式にアクセスすることとをさらに備える、［Ｃ１１］に記載の方法。
［Ｃ１３］
前記マルチモードシステム選択方式および前記機能制約を満足する利用可能な複数の無線アクセス技術を判定することと、
優先順位設定に従って前記利用可能な複数の無線アクセス技術のうちの１つを選択することとをさらに備える、［Ｃ１］に記載の方法。
［Ｃ１４］
前記マルチモードシステム選択方式にアクセスすることは、指定された無線アクセス技術を有効化または無効化するネットワークコマンドを受信することをさらに備える、［Ｃ１］に記載の方法。
［Ｃ１５］
前記マルチモードシステム選択方式にアクセスすることは、前記モバイルデバイスに対してプロビジョニングされるスマートカード上のエレメンタリファイルにアクセスすることをさらに備える、［Ｃ１］に記載の方法。
［Ｃ１６］
無線サービスプロビジョニングによって前記マルチモードシステム選択方式用のローカルに記憶されたデータ構造を修正するコマンドを受信することをさらに備える、［Ｃ１］に記載の方法。
［Ｃ１７］
前記モバイルデバイスの地理的位置を判定することと、
前記選択された無線アクセス技術が前記地理的位置で利用可能であるかどうかを規定する前記機能制約にアクセスすることとをさらに備える、［Ｃ１］に記載の方法。
［Ｃ１８］
現在のカレンダー日付を判定することと、
前記選択された無線アクセス技術が前記現在のカレンダー日付で利用可能であるかどうかを規定する前記機能制約にアクセスすることとをさらに備える、［Ｃ１］に記載の方法。
［Ｃ１９］
スマートカードに含まれるジェネリックサービステーブル内の前記マルチモードシステム選択方式にアクセスすることをさらに備える、［Ｃ１］に記載の方法。
［Ｃ２０］
前記マルチモードシステム選択方式にアクセスし、１次選択として働くアンカーシステムを判定することをさらに備える、［Ｃ１］に記載の方法。
［Ｃ２１］
少なくとも２つのエアインターフェースをアソシエートする前記マルチモードシステム選択方式にアクセスすることをさらに備える、［Ｃ１］に記載の方法。
［Ｃ２２］
前記モバイルデバイスの地理的位置を判定することと、
無線アクセス技術のマニュアル選択が前記地理的位置で利用可能であるかどうかを規定する前記機能制約にアクセスすることとをさらに備える、［Ｃ１］に記載の方法。
［Ｃ２３］
前記モバイルデバイスがアウトオブサービス領域にあると判定することと、
サービスのスキャン同士の間隔を広げることとをさらに備える、［Ｃ１］に記載の方法。
［Ｃ２４］
サービスのスキャン同士の前記間隔を広げることは、しきい値を超えたと判定することをさらに備える、［Ｃ２３］に記載の方法。
［Ｃ２５］
アウトオブサービス領域でのスキャンに関するユーザの好みに応じてサービスのスキャン同士の前記間隔を広げることをさらに備える、［Ｃ２３］に記載の方法。
［Ｃ２６］
ユーザと前記モバイルデバイスの相互作用がないことを検知したことに応じてサービスのスキャン同士の前記間隔を広げることをさらに備える、［Ｃ２３］に記載の方法。
［Ｃ２７］
ロケーションに応じてサービスのスキャン同士の前記間隔を広げることをさらに備える、［Ｃ２３］に記載の方法。
［Ｃ２８］
地理的位置判定信号を受信すること、ワイヤレスアクセス送信を検出すること、無線周波数環境を記憶されているロケーション記述に合致させること、アウトオブサービスロケーションを示すセルラパイロットを識別することのうちの選択された１つに基づいてロケーションを判定することをさらに備える、［Ｃ２７］に記載の方法。
［Ｃ２９］
エアインターフェース／アクセス技術のシステム選択のためにモバイル機器またはスマートカードをプロビジョニングする少なくとも１つのプロセッサであって、
複数の無線アクセス技術から無線アクセス技術を選択するマルチモードシステム選択方式にアクセスする第１のモジュールと、
前記複数の無線アクセス技術を使用するためのモバイルデバイスの機能制約を判定する第２のモジュールと、
前記マルチモードシステム選択方式および前記機能制約に従って、選択された無線アクセス技術を使用して無線アクセスネットワークと通信する第３のモジュールとを備えるプロセッサ。
［Ｃ３０］
エアインターフェース／アクセス技術のシステム選択のためにモバイル機器またはスマートカードをプロビジョニングするコンピュータプログラム製品であって、
非一時的コンピュータ可読記憶媒体が、
コンピュータに、複数の無線アクセス技術から無線アクセス技術を選択するマルチモードシステム選択方式にアクセスさせる第１組のコードと、
前記コンピュータに、前記複数の無線アクセス技術を使用するためのモバイルデバイスの機能制約を判定させる第２組のコードと、
前記コンピュータに、前記マルチモードシステム選択方式および前記機能制約に従って、選択された無線アクセス技術を使用して無線アクセスネットワークと通信させる第３組のコードとを備えるコンピュータプログラム製品。
［Ｃ３１］
エアインターフェース／アクセス技術のシステム選択のためにモバイル機器またはスマートカードをプロビジョニングする装置であって、
複数の無線アクセス技術から無線アクセス技術を選択するマルチモードシステム選択方式にアクセスする手段と、
前記複数の無線アクセス技術を使用するためのモバイルデバイスの機能制約を判定する手段と、
前記マルチモードシステム選択方式および前記機能制約に従って、選択された無線アクセス技術を使用して無線アクセスネットワークと通信する手段とを備える装置。
［Ｃ３２］
エアインターフェース／アクセス技術のシステム選択のためにモバイル機器またはスマートカードをプロビジョニングする装置であって、
複数の無線アクセス技術から無線アクセス技術を選択するマルチモードシステム選択方式にアクセスするコンピューティングプラットフォームと、
前記コンピューティングプラットフォームと相互接続され、前記複数の無線アクセス技術を使用するためのモバイルデバイスの機能制約を判定するスマートカードと、
前記マルチモードシステム選択方式および前記機能制約に従って、選択された無線アクセス技術を使用して無線アクセスネットワークと通信するトランシーバとを備える装置。
［Ｃ３３］
前記マルチモードシステム選択方式は、３ＧＰＰエアインターフェースと３ＧＰＰ２エアインターフェースと汎用の好ましいローミングリストの間の優先順位を定める、［Ｃ３２］に記載の装置。
［Ｃ３４］
前記コンピューティングプラットフォームと相互接続された前記スマートカードはさらに、モバイル事業者用の前記モバイルデバイスの加入者識別子のプロビジョニングを判定することによって前記機能制約を判定する、［Ｃ３２］に記載の装置。
［Ｃ３５］
前記コンピューティングプラットフォームと相互接続された前記スマートカードはさらに、取り外し可能なユーザ識別モジュール（Ｒ−ＵＩＭ）と、ＣＤＭＡ加入者識別モジュール（ＣＳＩＭ）を含む汎用ＩＣカード（ＵＩＣＣ）と、汎用加入者識別モジュール（ＵＳＩＭ）およびＣＳＩＭを含むＵＩＣＣと、加入者識別モジュール（ＳＩＭ）とから成るグループのうちの１つを検出することによって前記加入者識別子のプロビジョニングを判定する、［Ｃ３４］に記載の装置。
［Ｃ３６］
前記グループのうちの第２の１つをさらに備え、前記コンピューティングプラットフォームはさらに、前記グループのうちの前記第２の１つのプロビジョニングを判定し、前記グループのうちの前記１つおよび前記第２の１つを選択的にアクティブ化する、［Ｃ３５］に記載の装置。
［Ｃ３７］
前記コンピューティングプラットフォームと相互接続された前記スマートカードはさらに、エアインターフェースに関連する前記モバイルデバイスのトランシーバ制限を判定することによって前記機能制約を判定する、［Ｃ３２］に記載の装置。
［Ｃ３８］
前記コンピューティングプラットフォームと相互接続された前記スマートカードはさらに、シングルモードまたはマルチモードを介して通信することによって前記トランシーバ制限を判定する、［Ｃ３７］に記載の装置。
［Ｃ３９］
前記コンピューティングプラットフォームはさらに、前記トランシーバ制限を前記モバイルデバイスに組み込まれた前記スマートカード上に記憶する、［Ｃ３７］に記載の装置。
［Ｃ４０］
前記コンピューティングプラットフォームと相互接続された前記スマートカードはさらに、ローミングしているかあるいはホームにある前記モバイルデバイスのトランシーバ制限を判定することによって前記機能制約を判定する、［Ｃ３７］に記載の装置。
［Ｃ４１］
前記コンピューティングプラットフォームと相互接続された前記スマートカードはさらに、ＣＤＭＡ２０００エアインターフェースと３ＧＰＰエアインターフェースと３ＧＰＰ２エアインターフェースとＧＳＭエアインターフェースとＷｉＭＡＸエアインターフェースから成るグループのうちの少なくとも１つのエアインターフェース上で通信するための前記モバイルデバイスのトランシーバ制限を判定することによって前記機能制約を判定する、［Ｃ３２］に記載の装置。
［Ｃ４２］
前記コンピューティングプラットフォームはさらに、モバイルネットワークへの加入者識別子を含む集積回路カードである前記スマートカードとのハンドシェークを実行し、前記機能制約を判定する、［Ｃ４１］に記載の装置。
［Ｃ４３］
前記コンピューティングプラットフォームはさらに、前記コンピューティングプラットフォーム上に記憶されている第１のマルチモードシステム選択方式にアクセスし、前記スマートカード上に記憶されている第２のマルチモードシステム選択方式にアクセスする、［Ｃ４２］に記載の装置。
［Ｃ４４］
前記コンピューティングプラットフォームはさらに、前記マルチモードシステム選択方式および前記機能制約を満足する利用可能な複数の無線アクセス技術を判定し、優先順位設定に従って前記利用可能な複数の無線アクセス技術のうちの１つを選択する、［Ｃ３２］に記載の装置。
［Ｃ４５］
前記コンピューティングプラットフォームがさらに前記マルチモードシステム選択方式にアクセスすることは、指定された無線アクセス技術を有効化または無効化するネットワークコマンドを受信することをさらに備える、［Ｃ３２］に記載の装置。
［Ｃ４６］
前記コンピューティングプラットフォームがさらに前記マルチモードシステム選択方式にアクセスすることは、前記モバイルデバイスに対してプロビジョニングされるスマートカード上のエレメンタリファイルにアクセスすることをさらに備える、［Ｃ３２］に記載の装置。
［Ｃ４７］
前記トランシーバはさらに、無線サービスプロビジョニングによって、前記マルチモードシステム選択方式用のローカルに記憶されたデータ構造を修正するコマンドを受信する、［Ｃ３２］に記載の装置。
［Ｃ４８］
前記コンピューティングプラットフォームはさらに、前記モバイルデバイスの地理的位置を判定し、前記選択された無線アクセス技術が前記地理的位置で利用可能であるかどうかを規定する前記機能制約にアクセスする、［Ｃ３２］に記載の装置。
［Ｃ４９］
前記コンピューティングプラットフォームはさらに、現在のカレンダー日付を判定し、前記選択された無線アクセス技術が前記現在のカレンダー日付で利用可能であるかどうかを規定する前記機能制約にアクセスする、［Ｃ３２］に記載の装置。
［Ｃ５０］
前記コンピューティングプラットフォームはさらに、スマートカードに含まれるジェネリックサービステーブル内の前記マルチモードシステム選択方式にアクセスする、［Ｃ３２］に記載の装置。
［Ｃ５１］
前記コンピューティングプラットフォームはさらに、前記モバイルデバイスの地理的位置を判定し、無線アクセス技術のマニュアル選択が前記地理的位置で利用可能であるかどうかを規定する前記機能制約にアクセスする、［Ｃ３２］に記載の装置。
［Ｃ５２］
前記コンピューティングプラットフォームはさらに、前記マルチモードシステム選択方式にアクセスし、１次選択として働くアンカーシステムを判定する、［Ｃ３２］に記載の装置。
［Ｃ５３］
前記コンピューティングプラットフォームは、２つのエアインターフェースをアソシエートする前記マルチモードシステム選択方式にアクセスする、［Ｃ３２］に記載の装置。
［Ｃ５４］
前記コンピューティングプラットフォームは、前記モバイルデバイスがアウトオブサービス領域にあると判定し、サービスのスキャン同士の間隔を広げる、［Ｃ３２］に記載の装置。
［Ｃ５５］
前記コンピューティングプラットフォームがさらにサービスのスキャン同士の前記間隔を広げることは、しきい値を超えたと判定することをさらに備える、［Ｃ５４］に記載の装置。
［Ｃ５６］
前記コンピューティングプラットフォームはさらに、アウトオブサービス領域でのスキャンに関するユーザの好みに応じてサービスのスキャン同士の前記間隔を広げる、［Ｃ５４］に記載の装置。
［Ｃ５７］
前記コンピューティングプラットフォームはさらに、ユーザと前記モバイルデバイスの相互作用がないことを検知したことに応じてサービスのスキャン同士の前記間隔を広げる、［Ｃ５４］に記載の装置。
［Ｃ５８］
コンピューティングプラットフォームはさらに、ロケーションに応じてサービスのスキャン同士の前記間隔を広げる、［Ｃ５４］に記載の装置。
［Ｃ５９］
前記トランシーバおよび前記コンピューティングプラットフォームはさらに、地理的位置判定信号を受信すること、ワイヤレスアクセス送信を検出すること、無線周波数環境を記憶されているロケーション記述に合致させること、アウトオブサービスロケーションを示すセルラパイロットを識別することのうちの選択された１つに基づいてロケーションを判定する、［Ｃ５８］に記載の装置。
［Ｃ６０］
エアインターフェース／アクセス技術のシステム選択のためにモバイル機器またはスマートカードをプロビジョニングする方法であって、
ホスト無線アクセス技術を使用してホスト無線アクセスネットワークからモバイルデバイスにサービスを提供することと、
複数の無線アクセス技術から無線アクセス技術を選択するマルチモードシステム選択方式を含むデータ構造を修正するコマンドをモバイルデバイスに送信することとを備え、
前記モバイルデバイスは、前記コマンドに少なくとも部分的に基づいて前記複数の無線アクセス技術を使用するための機能制約を判定する方法。
［Ｃ６１］
前記マルチモードシステム選択方式は、３ＧＰＰエアインターフェースと３ＧＰＰ２エアインターフェースと汎用の好ましいローミングリストの間の優先順位を定める、［Ｃ６０］に記載の方法。
［Ｃ６２］
前記コマンドを送信することは、取り外し可能なユーザ識別モジュール（Ｒ−ＵＩＭ）と、ＣＤＭＡ加入者識別モジュール（ＣＳＩＭ）を含む汎用ＩＣカード（ＵＩＣＣ）と、汎用加入者識別モジュール（ＵＳＩＭ）およびＣＳＩＭを含むＵＩＣＣと、加入者識別モジュール（ＳＩＭ）とから成るグループのうちの１つから加入者識別子を受信したことに応答して前記モバイルデバイスをプロビジョニングすることをさらに備える、［Ｃ６０］に記載の方法。
［Ｃ６３］
前記コマンドを送信することは、ＣＤＭＡ２０００エアインターフェースと３ＧＰＰエアインターフェースと３ＧＰＰ２エアインターフェースとＧＳＭエアインターフェースとＷｉＭＡＸエアインターフェースから成るグループの少なくとも１つのエアインターフェース上で通信するための前記モバイルデバイスのトランシーバ制限を判定したことに応答することをさらに備える、［Ｃ６０］に記載の方法。
［Ｃ６４］
前記コマンドを送信することは、前記モバイルデバイスに対してプロビジョニングされるスマートカード上のエレメンタリファイルを修正することをさらに備える、［Ｃ６０］に記載の方法。
［Ｃ６５］
前記コマンドを送信して、無線サービスプロビジョニングによって前記マルチモード選択方式用のローカルに記憶されたデータ構造を修正することをさらに備える、［Ｃ６０］に記載の方法。
［Ｃ６６］
スマートカードに含まれるジェネリックサービステーブル内の前記マルチモード選択方式を修正するために前記コマンドを送信する、［Ｃ６０］に記載の方法。
［Ｃ６７］
前記コマンドを送信することは、前記モバイルデバイスの地理的位置に基づいてローミングの好ましいローミングリストをプロビジョニングすることをさらに備える、［Ｃ６０］に記載の方法。
［Ｃ６８］
前記コマンドをバイナリ形式で送信する、［Ｃ６０］に記載の方法。
［Ｃ６９］
前記コマンドをレコード形式で送信する、［Ｃ６０］に記載の方法。
［Ｃ７０］
エアインターフェース／アクセス技術のシステム選択のためにモバイル機器またはスマートカードをプロビジョニングする少なくとも１つのプロセッサであって、
ホスト無線アクセス技術を使用してホスト無線アクセスネットワークからモバイルデバイスにサービスを提供する第１のモジュールと、
複数の無線アクセス技術から無線アクセス技術を選択するマルチモードシステム選択方式を含むデータ構造を修正するコマンドを前記モバイルデバイスに送信する第２のモジュールとを備え、
前記モバイルデバイスは、前記コマンドに少なくとも部分的に基づいて前記複数の無線アクセス技術を使用するための機能制約を判定する少なくとも１つのプロセッサ。
［Ｃ７１］
エアインターフェース／アクセス技術のシステム選択のためにモバイル機器またはスマートカードをプロビジョニングするコンピュータプログラム製品であって、
非一時的コンピュータ可読記憶媒体が、
コンピュータに、ホスト無線アクセス技術を使用してホスト無線アクセスネットワークからモバイルデバイスにサービスを提供させる第１組のコードと、
コンピュータに、複数の無線アクセス技術から無線アクセス技術を選択するマルチモードシステム選択方式を含むデータ構造を修正するコマンドを前記モバイルデバイスに送信させる第２組のコードとを備え、
前記モバイルデバイスは、前記コマンドに少なくとも部分的に基づいて前記複数の無線アクセス技術を使用するための機能制約を判定するコンピュータプログラム製品。
［Ｃ７２］
エアインターフェース／アクセス技術のシステム選択のためにモバイル機器またはスマートカードをプロビジョニングする装置であって、
ホスト無線アクセス技術を使用してホスト無線アクセスネットワークからモバイルデバイスにサービスを提供する手段と、
複数の無線アクセス技術から無線アクセス技術を選択するマルチモードシステム選択方式を含むデータ構造を修正するコマンドをモバイルデバイスに送信する手段とを備え、
前記モバイルデバイスは、前記コマンドに少なくとも部分的に基づいて前記複数の無線アクセス技術を使用するための機能制約を判定する装置。
［Ｃ７３］
エアインターフェース／アクセス技術のシステム選択のためにモバイル機器またはスマートカードをプロビジョニングする装置であって、
ホスト無線アクセス技術を使用してホスト無線アクセスネットワークからモバイルデバイスにサービスを提供するスケジューラと、
複数の無線アクセス技術から無線アクセス技術を選択するマルチモードシステム選択方式を含むデータ構造を修正するコマンドを前記モバイルデバイスに送信するトランシーバとを備え、
前記モバイルデバイスは、前記コマンドに少なくとも部分的に基づいて前記複数の無線アクセス技術を使用するための機能制約を判定する装置。
［Ｃ７４］
前記マルチモードシステム選択方式は、３ＧＰＰエアインターフェースと３ＧＰＰ２エアインターフェースと汎用の好ましいローミングリストの間の優先順位を定める、［Ｃ７３］に記載の装置。
［Ｃ７５］
前記トランシーバがさらに前記コマンドを送信することは、取り外し可能なユーザ識別モジュール（Ｒ−ＵＩＭ）と、ＣＤＭＡ加入者識別モジュール（ＣＳＩＭ）を含む汎用ＩＣカード（ＵＩＣＣ）と、汎用加入者識別モジュール（ＵＳＩＭ）およびＣＳＩＭを含むＵＩＣＣと、加入者識別モジュール（ＳＩＭ）とから成るグループのうちの１つから加入者識別子を受信したことに応答して前記モバイルデバイスをプロビジョニングすることをさらに備える、［Ｃ７３］に記載の装置。
［Ｃ７６］
前記トランシーバがさらに前記コマンドを送信することは、ＣＤＭＡ２０００エアインターフェースと３ＧＰＰエアインターフェースと３ＧＰＰ２エアインターフェースとＧＳＭエアインターフェースとＷｉＭＡＸエアインターフェースから成るグループのうちの少なくとも１つのエアインターフェース上で通信するための前記モバイルデバイスのトランシーバ制限を判定したことに応答することをさらに備える、［Ｃ７３］に記載の装置。
［Ｃ７７］
前記トランシーバがさらに前記コマンドを送信することは、前記モバイルデバイスに対してプロビジョニングされるスマートカード上のエレメンタリファイルを修正することをさらに備える、［Ｃ７３］に記載の装置。
［Ｃ７８］
前記トランシーバはさらに、無線サービスプロビジョニングによって前記マルチモードシステム選択方式用のローカルに記憶されたデータ構造を修正するために前記コマンドを送信する、［Ｃ７３］に記載の装置。
［Ｃ７９］
前記トランシーバはスマートカードに含まれるジェネリックサービステーブル内の前記マルチモードシステム選択方式を修正するために前記コマンドを送信する、［Ｃ７３］に記載の装置。
［Ｃ８０］
前記トランシーバがさらに前記コマンドを送信することは、前記モバイルデバイスの地理的位置に基づいてローミングの好ましいローミングリストをプロビジョニングすることをさらに備える、［Ｃ７３］に記載の装置。
［Ｃ８１］
前記トランシーバはさらに、前記コマンドをバイナリ形式で送信する、［Ｃ７３］に記載の装置。
［Ｃ８２］
前記トランシーバはさらに、前記コマンドをレコード形式で送信する、［Ｃ７３］に記載の装置。
【図１】
0005378596.tif 000023
【図２Ａ】
0005378596.tif 000024
【図２Ｂ】
0005378596.tif 000025
【図３】
0005378596.tif 000026
【図４Ａ】
0005378596.tif 000027
【図４Ｂ】
0005378596.tif 000028
【図４Ｃ】
0005378596.tif 000029
【図４Ｄ】
0005378596.tif 000030
【図５】
0005378596.tif 000031
【図６】
0005378596.tif 000032
【図７】
0005378596.tif 000033
【図８】
0005378596.tif 000034
【図９】
0005378596.tif 000035
【図１０】
0005378596.tif 000036
【図１１】
0005378596.tif 000037
【図１２】
0005378596.tif 000038
【図１３】
0005378596.tif 000039
【図１４】
0005378596.tif 000040
【図１５】
0005378596.tif 000041